(57)【特許請求の範囲】
【請求項１】
ｅＮＢ（ｅｖｏｌｖｅｄ  Ｎｏｄｅ  Ｂ）であって、
構成回路であって、
ロング・ターム・エボリューション（ＬＴＥ）規格に従って、１つまたは複数の未認可周波数帯域を用いて通信するためのユーザ機器（ＵＥ）の能力の指示を処理し、
前記ＵＥの前記能力の前記指示に基づいて、測定報告と関連する情報を識別し、
前記ＵＥから受信した、前記１つまたは複数の未認可周波数帯域に関連する測定報告を処理し、
前記測定報告に基づいて、前記１つまたは複数の未認可周波数帯域のうちの少なくとも１つを通じて前記ＵＥとの通信を構成する、
構成回路と、
前記構成回路に結合され、前記測定報告と関連する前記情報に基づいて、前記ＵＥにより実行されるべき１つまたは複数の測定に関連して、（ｉ）測定識別子、（ｉｉ）周波数内、周波数間、及び無線アクセス技術間のうちの１又は複数を示す測定タイプ、及び（ｉｉｉ）測定されるべき未認可帯域を示す１又は複数の測定対象、を含む少なくとも１つのメッセージを生成し、前記ＵＥによる前記１つまたは複数の未認可周波数帯域と関連する測定報告のために、前記少なくとも１つのメッセージを前記ＵＥへ送信させるメッセージ生成回路と、
を含むｅＮＢ。
【請求項２】
前記少なくとも１つのメッセージを送信させることは、少なくとも１つの無線リソース制御（ＲＲＣ）接続再構成メッセージを前記ＵＥに送信させることを含み、前記ＵＥはＲＲＣ接続モードで動作する、請求項１に記載のｅＮＢ。
【請求項３】
前記少なくとも１つのメッセージは、前記ＵＥにより実行されるべき１つまたは複数の測定に関連して、（ｉｖ）コマンド、（ｖ）測定量、および／または（ｖｉ）報告基準のうちの１つまたは複数を更に含む、請求項１に記載のｅＮＢ。
【請求項４】
前記少なくとも１つのメッセージを生成することは、前記測定量が、前記１つまたは複数の未認可周波数帯域に関連して、受信信号強度指標（ＲＳＳＩ）、参照信号受信電力（ＲＳＲＰ）、参照信号受信品質（ＲＳＲＱ）、および／またはビジー状態もしくはアイドル状態の指示のうちの少なくとも１つに基づく少なくとも１つの値を含むことを示す前記少なくとも１つのメッセージを生成することを含む、請求項３に記載のｅＮＢ。
【請求項５】
前記少なくとも１つのメッセージを生成することは、前記ＵＥにより実行される１つまたは複数の測定に関連して、前記１つまたは複数の未認可周波数帯域のうちの少なくとも１つについて少なくとも１つのチャネル占有状態（ＣＯＳ）の要求を含む前記少なくとも１つのメッセージを生成することを含む、請求項１に記載のｅＮＢ。
【請求項６】
前記少なくとも１つのメッセージを生成することは、前記ＵＥからの前記測定報告は非周期的とすべきであるという指示を含む前記少なくとも１つのメッセージを生成することを含む、請求項１乃至５のいずれか１項に記載のｅＮＢ。
【請求項７】
前記指示は、チャネル状態情報（ＣＳＩ）要求フィールドに関連する１つまたは複数のビットを含む、請求項６に記載のｅＮＢ。
【請求項８】
前記ＵＥへ前記少なくとも１つのメッセージを送信させることは、ＵＥ固有探索空間（ＵＳＳ）において前記指示を送信させることを含む、請求項６に記載のｅＮＢ。
【請求項９】
前記少なくとも１つのメッセージを生成することは、前記ＵＥからの前記測定報告は周期的とすべきであるという指示を含む前記少なくとも１つのメッセージ生成することを含む、請求項１乃至５のいずれか１項に記載のｅＮＢ。
【請求項１０】
ユーザ機器（ＵＥ）であって、
制御回路であって、
前記ＵＥがロング・ターム・エボリューション（ＬＴＥ）規格に従って通信することができる、１つまたは複数の未認可周波数帯域を示す少なくとも１つのメッセージを生成し、
ｅＮＢ（ｅｖｏｌｖｅｄ  Ｎｏｄｅ  Ｂ）へ前記少なくとも１つのメッセージを送信させ、
前記少なくとも１つのメッセージに基づいて前記ｅＮＢから受信した、前記ＵＥによって実行されるべき１つまたは複数の測定の指示を処理し、前記指示は、前記ＵＥにより実行されるべき１つまたは複数の測定に関連して、（ｉ）測定識別子、（ｉｉ）周波数内、周波数間、及び無線アクセス技術間のうちの１又は複数を示す測定タイプ、及び（ｉｉｉ）測定されるべき未認可帯域を示す１又は複数の測定対象、を含み、
前記ＵＥによって実行された１つまたは複数の測定に基づく１つまたは複数の値を含む少なくとも１つの他のメッセージを生成し、
前記指示に基づいて、前記ｅＮＢへ前記少なくとも１つの他のメッセージを送信させる、
制御回路と、
前記ｅＮＢから受信した前記指示に基づいて、前記１つまたは複数の未認可周波数帯域のうちの少なくとも１つに対して前記１つまたは複数の測定を実行し、前記１つまたは複数の実行された測定に基づいて、前記１つまたは複数の値を計算する測定回路と、
を含むＵＥ。
【請求項１１】
前記指示は、前記１つまたは複数の測定に関連して、（ｉｖ）コマンド、（ｖ）測定量、および／または（ｖｉ）報告基準のうちの１つまたは複数を更に含む、請求項１０に記載のＵＥ。
【請求項１２】
前記１つまたは複数の未認可周波数帯域のうちの少なくとも１つに対して前記１つまたは複数の測定を実行することは、受信信号強度指標（ＲＳＳＩ）、参照信号受信電力（ＲＳＲＰ）、および／または参照信号受信品質（ＲＳＲＱ）のうちの少なくとも１つを測定することを含む、請求項１０に記載のＵＥ。
【請求項１３】
前記１つまたは複数の未認可周波数帯域のうちの少なくとも１つに対して前記１つまたは複数の測定を実行することは、１つまたは複数の未認可周波数帯域がビジー又はアイドルであるかを検出することを含む、請求項１０に記載のＵＥ。
【請求項１４】
少なくとも１つの他のメッセージを生成することは、第１の未認可周波数帯域についての検出の指示と、前記第１の未認可周波数帯域に対して実行された少なくとも１つの他の測定についての少なくとも１つの他の値とを含むメッセージを生成することを含む、請求項１３に記載のＵＥ。
【請求項１５】
前記ｅＮＢへ前記少なくとも１つの他のメッセージを送信させることは、前記ｅＮＢから受信した指示に基づいて前記少なくとも１つの他のメッセージを非周期的に送信させることを含む、請求項１０乃至１４のいずれか１項に記載のＵＥ。
【請求項１６】
前記指示は、チャネル状態情報（ＣＳＩ）要求フィールドに関連する１つまたは複数のビットを含む、請求項１５に記載のＵＥ。
【請求項１７】
前記制御回路は、ＵＥ固有探索空間（ＵＳＳ）において前記指示を検出する、請求項１５に記載のＵＥ。
【請求項１８】
前記ｅＮＢへ前記少なくとも１つの他のメッセージを送信させることは、前記ｅＮＢから受信した指示に基づいて前記少なくとも１つの他のメッセージを周期的に送信させることを含む、請求項１０乃至１４のいずれか１項に記載のＵＥ。
【請求項１９】
コンピュータプログラムであって、ｅＮＢ（ｅｖｏｌｖｅｄ  Ｎｏｄｅ  Ｂ）のプロセッサに、
認可周波数帯域を通じてユーザ機器（ＵＥ）から受信された、１つまたは複数の未認可周波数帯域を通じて通信するための前記ＵＥの能力の指示を処理させ、
前記ＵＥの前記能力の前記指示に基づいて、測定報告と関連する情報を識別させ、
前記ＵＥから受信した、前記１つまたは複数の未認可周波数帯域に関連する測定報告を処理させ、
前記測定報告に基づいて、前記１つまたは複数の未認可周波数帯域のうちの少なくとも１つを通じて前記ＵＥとの通信を構成させ、
前記測定報告と関連する前記情報に基づいて、前記ＵＥにより実行されるべき１つまたは複数の測定に関連して、（ｉ）測定識別子、（ｉｉ）周波数内、周波数間、及び無線アクセス技術間のうちの１又は複数を示す測定タイプ、及び（ｉｉｉ）測定されるべき未認可帯域を示す１又は複数の測定対象、を含む少なくとも１つのメッセージを生成させ、
前記ＵＥによる前記１つまたは複数の未認可周波数帯域と関連する測定報告のために、前記少なくとも１つのメッセージを前記ＵＥへ送信させる、
コンピュータプログラム。
【請求項２０】
前記プロセッサに、さらに、
前記指示に基づいて、前記１つまたは複数の未認可周波数帯域のうちの少なくとも１つを通じて前記ＵＥとの通信を構成させ、
前記構成に基づいて、前記１つまたは複数の未認可周波数帯域のうちの少なくとも１つを通じて前記ＵＥへダウンリンクデータを送信させ、
前記ＵＥとの通信を構成させることは、前記ＵＥからの無線リソース管理（ＲＲＭ）報告に依存せずに前記１つまたは複数の未認可周波数帯域のうちの少なくとも１つを通じて前記ＵＥとの通信を構成させることを含む、請求項１９に記載のコンピュータプログラム。
【請求項２１】
前記ＵＥとの通信を構成させることは、
少なくとも１つの測定報告の要求を前記ＵＥに送信させ、
前記ＵＥから前記少なくとも１つの測定報告を受信させ、
前記少なくとも１つの測定報告にさらに基づいて、前記１つまたは複数の未認可周波数帯域のうちの少なくとも１つを通じて前記ＵＥとの通信を構成させる、
ことを含む、請求項２０に記載のコンピュータプログラム。
【請求項２２】
前記要求は、前記測定報告は周期的または非周期的であるべきであるという指示をさらに含む、
請求項２１に記載のコンピュータプログラム。
【請求項２３】
コンピュータプログラムであって、ユーザ機器（ＵＥ）のプロセッサに、
前記ＵＥが通信できる１つまたは複数の未認可周波数帯域を示す少なくとも１つのメッセージを、認可周波数帯域を通じてｅＮＢ（ｅｖｏｌｖｅｄ  Ｎｏｄｅ  Ｂ）に送信させ、
前記１つまたは複数の未認可周波数帯域に関連する情報についての前記ｅＮＢからの要求を受信させ、前記要求は、前記ＵＥによって実行されるべき１つまたは複数の測定に関連して、（ｉ）測定識別子、（ｉｉ）周波数内、周波数間、及び無線アクセス技術間のうちの１又は複数を示す測定タイプ、及び（ｉｉｉ）測定されるべき未認可帯域を示す１又は複数の測定対象、を含み、
前記要求に基づいて、前記１つまたは複数の未認可周波数帯域のうちの少なくとも１つに対して１つまたは複数の測定を実行させ、
前記少なくとも１つまたは複数の測定に基づいて報告を生成させ、
前記報告を前記ｅＮＢへ送信させる、
コンピュータプログラム。
【請求項２４】
前記要求は、前記報告が周期的または非周期的であるべきであるという指示をさらに含み、前記コンピュータプログラムは、さらに、前記指示に基づいて周期的または非周期的に前記報告を前記ｅＮＢへ送信させる、
請求項２３に記載のコンピュータプログラム。
【請求項２５】
前記１つまたは複数の未認可周波数帯域のうちの少なくとも１つに対して前記１つまたは複数の測定を実行させることは、受信信号強度指標（ＲＳＳＩ）、参照信号受信電力（ＲＳＲＰ）、および／または参照信号受信品質（ＲＳＲＱ）のうちの少なくとも１つを測定させること、あるいは、前記１つまたは複数の未認可周波数帯域のうちの少なくとも１つについてビジーまたはアイドル状態を検出させることを含む、
請求項２３または２４に記載のコンピュータプログラム。
【請求項２６】
請求項１９乃至２５のいずれか一項に記載のコンピュータプログラムを記憶したコンピュータ可読記憶媒体。
【発明の詳細な説明】
【技術分野】
【０００１】
関連出願の相互参照
本出願は２０１５年４月２２日に出願された米国特許出願第１４／６９３，６５３号の「Ｓｙｓｔｅｍ  Ａｎｄ  Ｍｅｔｈｏｄ  Ｆｏｒ  Ｍｅａｓｕｒｅｍｅｎｔ  Ｒｅｐｏｒｔｉｎｇ  Ｉｎ  Ａｎ  Ｕｎｌｉｃｅｎｓｅｄ  Ｓｐｅｃｔｒｕｍ」の優先権を主張し、上記出願は、２０１４年７月２日に出願された米国仮特許出願第６２／０２０，３１６号の「Ｓｙｓｔｅｍ  ａｎｄ  Ｍｅｔｈｏｄ  ｏｎ  Ｍｅａｓｕｒｅｍｅｎｔ  Ｒｅｐｏｒｔ  ｆｏｒ  ＬＴＥ  Ｕｎｌｉｃｅｎｓｅｄ  Ｓｙｓｔｅｍ」、および２０１４年１０月３０日に出願された米国仮特許出願第６２／０７２，８６１号の「Ｓｙｓｔｅｍ  ａｎｄ  Ｍｅｔｈｏｄ  ｏｎ  Ｍｅａｓｕｒｅｍｅｎｔ  Ｒｅｐｏｒｔ  ｆｏｒ  ＬＴＥ  Ｕｎｌｉｃｅｎｓｅｄ  Ｓｙｓｔｅｍ」の優先権を主張する。上記の開示全体は、本明細書と矛盾する部分があればそれを除いて、すべての目的のために参照により全体として本明細書に組み込まれる。
【０００２】
本発明の実施形態は、一般的にはデータ処理の技術分野に関し、特に、ネットワークを介してデータを通信するように動作可能なコンピュータデバイスに関する。
【背景技術】
【０００３】
ここで提供する背景技術の説明は、本開示のコンテキストを一般的に提示するためである。本発明者の仕事は、この背景技術の項、ならびに出願時における従来技術としてみなすことができない本明細書の態様に記載した範囲まで、本発明に対する従来技術として明示的にも黙示的にも認められるものではない。特に本明細書で示す場合を除き、この項に記載した手法は、本開示の請求項に対する従来技術ではなく、またこの項に含まれることによって従来技術であると認められるものではない。
【０００４】
無線アクセスネットワークの通信では、移動端末および基地局は、ある周波数帯域で通信することができる。無線周波数帯域は、たとえば、政府によって規制されている場合がある。周波数帯域は、その帯域で通信が行えるように免許が与えられる場合がある。周波数帯域の免許にしたがって、移動端末および基地局は、その周波数帯域で通信を行うように構成することができる。無線ネットワークにおける高速データレートに対する需要が増加しているので、データスループットを大きくするための可能性として未認可スペクトルが検討されている。
【０００５】
本発明の実施形態を、添付図面の図において限定のためではなく例示のために示してあり、図面上で類似する符号は類似する要素を示す。本開示における本発明の「１つの（ａｎ）」または「１つの（ｏｎｅ）」実施形態への言及は、必ずしも同じ実施形態ではなく、少なくとも１つを意味することに留意されたい。
【図面の簡単な説明】
【０００６】
【図１】様々な実施態様による、ｅＮＢが認可スペクトルおよび未認可スペクトルでユーザ機器とデータを通信することができる環境を示すブロック図である。
【図２】様々な実施態様による、未認可スペクトルに関連する測定を実行し報告するように構成されたユーザ機器を示すブロック図である。
【図３】様々な実施態様による、チャネル占有状態報告およびチャネル状態情報報告に関連するビットの符号化を示すブロック図である。
【図４】様々な実施態様による、チャネル占有状態報告に関連するシンボルを有する物理アップリンク共有チャネルのリソース要素を示すブロック図である。
【図５】様々な実施態様による、チャネル占有状態報告に関連するシンボルを有する物理アップリンク共有チャネルのリソース要素の別の実施形態を示すブロック図である。
【図６】様々な実施態様による、未認可帯域における成分搬送波についてのチャネル状態情報報告を示すブロック図である。
【図７】様々な実施態様による、未認可帯域においてユーザ機器との通信を構成するｅＮＢを示すブロック図である。
【図８】様々な実施態様による、非周期的なチャネル占有状態報告のためのダウンリンク制御情報フォーマットを示すブロック図である。
【図９】様々な実施態様による、未認可周波数帯域を用いてユーザ機器との通信を構成するための方法を示すフローチャートである。
【図１０】様々な実施態様による、未認可帯域におけるユーザ機器との通信を容易にするための方法を示すフローチャートである。
【図１１】様々な実施態様による、ワイヤレス通信ネットワークで動作するように適合されたコンピューティングデバイスを示すブロック図である。
【発明を実施するための形態】
【０００７】
以下の詳細な説明では、本明細書の一部を形成する添付の図面を参照し、図面全体を通して類似する符号は類似する部分を示し、例示のために実施可能な実施形態を示す。他の実施形態を利用することができ、本開示の範囲から逸脱することなく、構造的または論理的な変更を行うことができることを理解されたい。したがって、以下の詳細な説明は限定的にとらえるべきではなく、実施形態の範囲は添付の特許請求の範囲およびその均等物によって定義される。
【０００８】
特許請求する主題を理解する上で最も役立つように、様々な動作を多くの別個の操作または動作として次々に説明することができる。
【０００９】
しかし、説明の順序は、これらの動作が必ず順序に依存することを意味するものと解釈すべきではない。特に、これらの動作は提示される順序で行われなくてもよい。説明した動作を、説明した実施形態とは異なる順序で実行してもよい。様々な追加の動作が実行されてもよいし、および／または説明した動作が追加の実施形態において省略されてもよい。
【００１０】
本開示の目的のために、「ＡまたはＢ」および「Ａおよび／またはＢ」という語句は、（Ａ）、（Ｂ）、または（ＡおよびＢ）を意味する。本開示の目的のために、「Ａ、Ｂ、および／またはＣ」という語句は、（Ａ）、（Ｂ）、（Ｃ）、（ＡおよびＢ）、（ＡおよびＣ）、（ＢおよびＣ）、または（Ａ、Ｂ、およびＣ）を意味する。
【００１１】
本説明では、「一実施形態では」、または「実施形態では」を用いる場合があるが、それはそれぞれ同一または異なる実施形態のうちの１つまたは複数を意味する。さらに、本開示の実施形態に関して使用されるように、「備える（ｃｏｍｐｒｉｓｉｎｇ）」、「含む（ｉｎｃｌｕｄｉｎｇ）」、「有する（ｈａｖｉｎｇ）」などは同義である。
【００１２】
本明細書で用いられるように、「モジュール」および／または「ロジック」という用語は、１つもしくは複数のソフトウェアまたはファームウェアのプログラムを実行する、特定用途向け集積回路（ＡＳＩＣ）、電子回路、プロセッサ（共有、専用、またはグループ）、および／または、メモリ（共用、専用、あるいはグループ）、組み合わせ論理回路、ならびに／あるいは説明した機能を提供する他の適切なハードウェア構成要素を意味してもよいし、これらの一部であってもよいし、あるいはこれらを含んでもよい。
【００１３】
本明細書で用いられるように、「回路」という用語は、１つもしくは複数のソフトウェアまたはファームウェアのプログラムを実行する、特定用途向け集積回路（ＡＳＩＣ）、電子回路、プロセッサ（共有、専用、またはグループ）、および／または、メモリ（共用、専用、あるいはグループ）、組み合わせ論理回路、ならびに／あるいは説明した機能を提供する他の適切なハードウェア構成要素を意味してもよいし、これらの一部であってもよいし、あるいはこれらを含んでもよい。いくつかの実施形態では、回路は、１つもしくは複数のソフトウェアモジュールまたはファームウェアモジュールに実装されてもよいし、回路に関連する機能が１つもしくは複数のソフトウェアモジュールまたはファームウェアモジュールによって実現されてもよい。
【００１４】
図１から始めると、ブロック図は、様々な実施態様による、ｅＮＢ（ｅＮＢ）１０５が認可スペクトルおよび未認可スペクトルでユーザ機器（ＵＥ）１３０とデータを通信することができる環境１００を示す。ロング・ターム・エボリューション（ＬＴＥ）規格を厳守する従来のネットワークでは、システムは、ＬＴＥサービスプロバイダまたはオペレータに対して排他的に割り当てられたスペクトルを利用することができる。この認可スペクトルは、認可スペクトルにおけるＬＴＥまたは単にＬＴＥと呼ぶことができる。しかし、無線ブロードバンドデータに対する需要が増加することに起因して、認可スペクトルだけでなく未認可スペクトルを用いてデータを送信することによって、ＬＴＥシステムのデータスループットを増加させる可能性がある。未認可スペクトルで動作するＬＴＥシステムは、しばしば、未認可スペクトルにおけるＬＴＥまたはＬＴＥ−Ｕと呼ばれる。
【００１５】
ＵＥ１３０は、ブロードバンド回路を備え、たとえば、１つまたは複数の第３世代パートナーシップ（３ＧＰＰ）技術仕様によるセル（たとえば、セル１１５）上で動作するように適合された任意のタイプのコンピューティングデバイスとすることができる。たとえば、ＵＥ１３０は、ネットブック、タブレットコンピュータ、ハンドヘルドコンピューティングデバイス、ウェブ対応機器、ゲームデバイス、携帯電話、スマートフォン、電子書籍リーダ、またはパーソナル・データ・アシスタントなどであってもよい。別の実施形態では、ＵＥ１３０は、主にユーザ通信（たとえば、音声通話、テキスト／インスタントメッセージング、ウェブ閲覧）に適応していないコンピューティングデバイス、たとえばスマート測定デバイス、支払デバイス（たとえば、「ｐａｙ−ａｓ−ｙｏｕ−ｄｒｉｖｅ」デバイス）、自動販売機、テレマティックスシステム（たとえば、車両の追跡およびトレースに適合するシステム）、およびセキュリティシステム（たとえば監視装置）などであってもよい。
【００１６】
実施形態によれば、ＵＥ１３０は、少なくとも１つの無線セル１１５上で動作することによるシステム間通信のために構成することができる。無線セル１１５は、ｅＮＢ１０５によって提供することができる。実施形態では、ＵＥ１３０およびｅＮＢ１０５は、１つまたは複数の３ＧＰＰ規格、たとえば発展型汎用地上無線アクセスネットワーク（ｅ−ＵＴＲＡＮ）によって定義される無線インターフェースを介して通信することができる。ｅＮＢ１０５は、コアネットワーク（図示せず）に向けた移動アンカーとして機能することができる。ｅＮＢ１０５は、たとえば、第３世代（３Ｇ）、第４世代（４Ｇ）、第５世代（５Ｇ）、あるいはロング・ターム・エボリューション（ＬＴＥ）、進化型ＬＴＥ（ＬＴＥ−Ａ）、または他の同様の規格などの１つもしくは複数の規格に準拠するその先のシステムの一部として、ＵＥ１３０をコアネットワークに接続することができる。
【００１７】
ＬＴＥ−Ｕでは、キャリアアグリゲーション機構（ＣＡ）は、たとえば、ベストエフォートトラフィックをオフロードするための、認可スペクトルに対する補完として未認可スペクトルを活用するために使用することができる。環境１００においてｅＮＢ１０５によって用いられるＣＡ機構は、１つもしくは複数のＬＴＥおよび／またはＬＴＥ−Ａ仕様に準拠することができる。図示するように、ｅＮＢ１０５は、ＬＴＥ認可スペクトル１５２（ここでは、「ＬＴＥ」）およびＬＴＥ未認可スペクトル１５４（ここでは、「ＬＴＥ−Ｕ」）の両方でＵＥ１３０と通信することができる。様々な実施形態では、ＬＴＥ−Ｕ１５４は、たとえば、ＷｉＦｉ通信または他の無線通信に使用される、様々な未認可スペクトルを含むことができる。たとえば、ＬＴＥ−Ｕ１５４は、米国電気電子技術者協会（ＩＥＥＥ）８０２．１１ａ／ｎ／ａｃ技術を使用するものなどの、５ギガヘルツ（ＧＨｚ）の未認可全米情報基盤（Ｕ−ＮＩＩ）無線ローカル・エリア・ネットワーク（ＷＬＡＮ）システムを含むことができる。
【００１８】
様々な実施形態では、ｅＮＢ１０５は、ＬＴＥ１５２の一次キャリア１５３およびＬＴＥ−Ｕ１５４の１つもしくは複数の二次キャリア１５５の両方を使用して、ＵＥ１３０と通信することができる。一実施形態では、一次キャリア１５３は、重要な制御信号、可動性、および高品質のサービスを必要とするユーザデータを搬送することができるが、需要の少ない（たとえば、ベストエフォート）トラフィックは、二次キャリア１５５上で搬送される。一実施形態では、ＵＥ１３０は、ｅＮＢ（たとえば、セル１１５）により提供されるＬＴＥの一次セル（Ｐセル）、ならびに別のアクセスノード１４０により提供される未認可スペクトルの二次セル（Ｓセル）の両方で動作することができる。したがって、一次キャリア１５３はＰセル１１５を通して進み、二次キャリア１５５はアクセスノード１４０により提供されたＳセルを通して進む。
【００１９】
一例では、ＬＴＥ−Ｕ１５４は５ＧＨｚ帯域内であってもよい。しばしば、５１５０〜５２５０ＭＨｚ帯および５２５０〜５３５０ＭＨｚ帯は、住宅ＷＬＡＮ通信に広く使用されている。したがって、それらの２００ＭＨｚは、ＬＴＥ−Ｕ１５４として利用可能であり得る。２０ＭＨｚが成分搬送波成分搬送波（成分搬送波Ｃｏｍｐｏｎｅｎｔ  Ｃａｒｒｉｅｒ：ＣＣ）に割り当てられている場合には、１０の成分搬送波が二次キャリア１５５を含むことができる。この割り当て配置は、単なる例示のためのものにすぎず、したがって、異なる数の成分搬送波および／または成分搬送波に割り当てられた帯域幅が想定されることを理解されたい。
【００２０】
未認可周波数スペクトルを用いた動作に関連して、ＬＴＥ−Ｕ１５４上の測定報告は、他の未認可キャリア（たとえば、ＷｉＦｉキャリア）の間の共存を容易にすることができる。周期的および非周期的な両方のチャネル品質指標（ＣＱＩ）報告をサポートすることができる。実施形態では、ｅＮＢ１０５は、アップリンクデータ送信のためにスケジュールされた１つまたは複数のリソースに埋め込まれた個々のＣＱＩ報告を送信するようにＵＥ１３０に指示することができる。たとえば、物理アップリンク制御チャネル（ＰＵＣＣＨ）は、周期的なＣＱＩ報告のために使用することができ、物理アップリンク共有チャネル（ＰＵＳＣＨ）は、非周期的なＣＱＩ報告のために使用することができる。いくつかのダウンリンク送信モードでは、プリコーディングマトリクス指標（ＰＭＩ）および／またはランク表示（ＲＩ）を含む追加のフィードバック信号を、ｅＮＢ１０５によりＵＥ１３０に送信することができる。
【００２１】
図２を参照すると、ブロック図は、様々な実施態様による、未認可スペクトルに関連する測定を実行し報告するように構成されたＵＥ２００を示す。様々な実施形態では、ＵＥ２００は図１のＵＥ１３０の一実施形態であってもよい。ＵＥ２００は、他の構成要素のうち、少なくとも図示するように互いに結合された制御回路２０６、測定回路２１０、ベースバンド回路２１２、および無線周波数（ＲＦ）回路２１４を含むことができる。いくつかの実施形態では、回路２０６、２１０、２１２、２１４のうちの１つまたは複数は、たとえば、システム・オン・チップ（ＳｏＣ）または他の集積回路に、互いに集積化されてもよい。たとえば、いくつかの実施形態では、制御回路２０６、測定回路２１０、およびベースバンド回路２１２は、ベースバンドチップセットに互いに集積化することができる。
【００２２】
様々な実施形態では、ＲＦ回路２１４は、ＵＥ２００との間で信号の無線通信を容易にするために、１つまたは複数のアンテナ２２０と結合することができる。ＲＦ回路２１４の動作は、限定はしないが、信号のフィルタ処理、増幅、記憶、変換などを含むことができる。送信経路（Ｔｘ）では、ＲＦ回路２１４は、電力増幅器および／またはアップコンバータを含むことができる。受信経路（Ｒｘ）では、ＲＦ回路２１４は、低雑音増幅器および／またはダウンコンバータを含むことができる。
【００２３】
様々な実施形態では、ベースバンド回路２１２は、無線で伝送するためにＲＦ回路２１４に信号を提供するように構成することができる。ベースバンド回路２１２の動作は、限定はしないが、信号のスクランブル処理、多重化、符号化などを含むことができる。送信経路（Ｔｘ）では、ベースバンド回路２１２は、信号の符号化および変調を行うように構成することができる。受信経路（Ｒｘ）では、ベースバンド回路２１２は、信号の復号化および復調を行うように構成することができる。
【００２４】
ベースバンド回路２１２は、制御回路２０６を含むことができ、あるいはそれと通信可能に接続することができる。様々な実施形態では、制御回路２０６は、ＵＥ２００が１つまたは複数の未認可周波数帯域を用いて通信するように構成されていることを、判断または検出するように構成することができる。さらに、制御回路２０６は、１つまたは複数の未認可周波数帯域を検出することができる。
【００２５】
制御回路２０６は、ＵＥ２００が１つもしくは複数の未認可周波数帯域を用いて通信する能力、および／またはＵＥ２００が通信することができる１つもしくは複数の未認可周波数帯域を示す、少なくとも１つのメッセージを生成するように構成することができる。この通信は、ＬＴＥ規格（ＬＴＥ−Ａ規格を含む）によることができる。一実施形態では、制御回路２０６は、ＵＥ能力情報メッセージのサポートされた帯域組み合わせ情報要素（ＩＥ）のうちの少なくとも１つの帯域組み合わせを設定するように構成することができる。実施形態では、ＵＥ能力情報メッセージは、認可帯域のＣＣと未認可帯域のＣＣとの間のＣＡの使用可能性に関連する未認可周波数帯域およびＬＴＥ認可帯域のセットを含むことができる。ＵＥ能力情報メッセージは、認可帯域のＣＣと未認可帯域のＣＣとの間のＣＡの使用可能性、たとえばサポート帯域幅クラスおよび／またはダウンリンクに対応する多入力多出力（ＭＩＭＯ）能力などに関連する１つまたは複数のサブフィールドをさらに含むことができる。ＵＥ能力情報メッセージは、１つまたは複数の未認可帯域に関連する情報を含むことができるが、ＵＥ能力情報メッセージは、認可帯域で受信することができる。
【００２６】
ＬＴＥ  ＵＥ帯域組み合わせのための信号伝達原理と同様に、ＬＴＥ−Ｕが使用する未認可周波数帯域は、対応する周波数割り当てに関連する１つまたは複数の多重周波数帯域のローマ数字でラベル付けすることができる。一実施形態では、５１７０〜５３３０ＭＨｚ（たとえばＩＥＥＥ８．０２１ｌｘ）の未認可帯域は「Ｘ」に番号付けすることができ、５４９０以上の未認可帯域は、ＵＥ  ＬＴＥ−Ｕ  ＣＡ能力報告に関連づけることができる。このような実施形態では、１つまたは複数の未認可帯域におけるＬＴＥ−Ｕ動作は、時分割複信（ＴＤＤ）フレーム構造を含むことができ、それは可能性のある完全ダウンリンク構成（たとえば、周波数分割複信（ＦＤＤ）ダウンリンクのみのＣＣ）を含む。表１は、このような実施形態を示す。
【００２７】
【表１】
0006426207.tif 000002
別の実施形態では、制御回路２０６は、認可周波数帯域および未認可周波数帯域の両方の帯域幅クラスと、対応するダウンリンクＭＩＭＯ能力と、の指示を有する１つまたは複数の未認可周波数帯域を用いて通信するＵＥ２００の能力を示す少なくとも１つのメッセージを生成することができる。たとえば、少なくとも１つのメッセージは値「ＣＡ  ｌ  Ａ−ＸＣ」を含むことができ、それは未認可周波数帯域Ｘの帯域幅クラス「Ｃ」と統合された、認可周波数帯域１の帯域幅クラス「Ａ」を有するＵＥ２００の帯域間ＣＡ能力についてｅＮＢに通知することができる。
【００２８】
いくつかの実施形態では、制御回路２０６は、認可帯域で動作し、かつ未認可周波数帯域で１つまたは複数の測定を行う場合に、測定ギャップの必要性を示す少なくとも１つのメッセージを生成することができる。制御回路２０６は、ＵＥ能力情報メッセージの周波数間ギャップ必要性ＩＥにそのような指示を含むことができる。
【００２９】
１つまたは複数の未認可周波数帯域による通信をサポートする際に、ＵＥ２００は、このような通信を容易にするｅＮＢに対して１つまたは複数の測定を報告することができる。実施形態では、制御回路２０６は、ｅＮＢから受信した指示を処理して、ＵＥ２００からｅＮＢに対して送信された能力メッセージにおいてｅＮＢに示された未認可帯域などの、１つまたは複数の未認可帯域で１つまたは複数の測定を開始することができる。一実施形態では、この指示は、無線リソース制御（ＲＲＣ）接続再構成メッセージに含めることができる。ＲＲＣ接続再構成メッセージは、ＵＥ２００がＲＲＣ接続モードで動作している場合に、認可周波数帯域を用いてＵＥ２００に送信することができる。様々な実施形態では、この指示は、制御回路２０６によるチャネル占有状態（ＣＯＳ）および／またはチャネル状態情報（ＣＳＩ）報告を始動させることができ、かつ／あるいは、制御回路２０６によりＣＯＳおよび／またはＣＳＩを始動させる少なくとも１つのイベントおよび／または期間を定義することができる。
【００３０】
様々な実施形態では、指示は、測定識別子（ＩＤ）、測定タイプ、コマンド（たとえば、設定、変更、開放）、測定対象、測定量、報告量、および報告基準（たとえば、周期的または非周期的／イベント始動）のうちの１つまたは複数を含むことができる。測定タイプは、ＵＥ２００により実行される測定のタイプ（たとえば、周波数内、周波数間、および／または無線間アクセス技術（ＲＡＴ））を指示することができる。測定対象は、ＵＥ２００が測定を行う帯域（たとえば、未認可帯域）を示すことができる。測定量は、測定されるもの（たとえば、参照信号受信電力（ＲＳＲＰ）、参照信号受信品質（ＲＳＲＱ）、受信信号強度指標（ＲＳＳＩ）など）を示すことができる。報告量は、報告するもの（たとえば、アクティブなセル、モニタされているセル、および／または検出されたセル、たとえばＳセルなど）を示すことができる。報告基準は、ＵＥ２００が、測定報告を周期的に送信するか、あるいは測定報告を非周期的に（たとえば、イベントの検出に基づいて）送信するかを示すことができる。
【００３１】
制御回路２０６は、指示に基づいて１つまたは複数の測定を行うように構成された測定回路２１０と通信可能に結合することができる。様々な実施形態では、制御回路２０６は、測定回路２１０に対して、実行される１つもしくは複数の測定、および／または１つもしくは複数の測定を行う１つもしくは複数の未認可帯域を知らせることができる。これに応答して、測定回路２１０は、１つまたは複数の未認可帯域で１つまたは複数の測定を行い、実行した測定に基づいて１つまたは複数の値を算出することができる。測定回路２１０は、１つまたは複数の値を制御回路２０６に知らせることができ、制御回路２０６は、１つまたは複数の算出された値を含む測定報告をｅＮＢに送信することができる。いくつかの実施形態では、測定回路２１０は、報告基準を評価するために、１つまたは複数の測定量についてレイヤ３フィルタ処理を適用するように構成することができる。
【００３２】
様々な実施形態によれば、測定回路２１０は、ＣＳＩおよび／またはＣＯＳ報告のための１つまたは複数の値を算出するように構成することができる。ＣＳＩ報告に含まれる１つまたは複数の値は、チャネル品質指標（ＣＱＩ）、プリコーディングマトリクス指標（ＰＭＩ）、プリコーディングタイプ指標（ＰＴＩ）、および／またはランク表示（ＲＩ）のうちの１つまたは複数であってもよい。ＣＯＳ報告に含まれる１つまたは複数の値のチャネルは、ビジーおよび／もしくはアイドルの指示（たとえば、ブール値またはバイナリ値）、ならびに／またはｅＮＢがチャネル状態を判定することができる値であってもよい。他の値は、ｅＮＢに報告するために、測定回路２１０によって制御回路２０６に知らせることができる。
【００３３】
一実施形態では、測定回路２１０は、ＣＯＳ報告のためのＲＳＳＩの値を算出するように構成することができる。ＲＳＳＩは、すべての干渉および熱雑音を含む総受信広帯域電力であり、測定された周波数帯域が、たとえば、ＷｉＦｉまたはＬＴＥにより占有されているかどうかを示すために使用することができる。一実施形態では、未認可キャリア上のＲＳＳＩは、関連するチャネル帯域幅内の広帯域受信電力として定義することができ、アンテナ２２０のコネクタに基準点を有することができる。ＲＳＳＩは、ＵＥ２００がＲＲＣ接続モードで動作しているか、ＲＲＣアイドルモードで動作しているかに関わらず、Ｉｎｔｅｒ−ＲＡＴに適用可能であり得る。
【００３４】
別の実施形態では、測定回路２１０は、ＣＯＳ報告のためのＲＳＲＰの値を算出するように構成することができる。ＲＳＲＰは、考慮される測定帯域幅にわたってセル固有参照信号を搬送するリソース要素の電力の線形平均である。この測定された値は、測定された周波数帯域がＬＴＥにより占有されているかどうかを示すために使用することができる。
【００３５】
別の実施形態では、測定回路２１０は、ＣＯＳ報告のためのＲＳＲＱの値を算出するように構成することができる。ＲＳＲＱは、ＲＳＲＰとＲＳＳＩとの間の無線であって、測定帯域幅に依存する。ＲＳＲＱは、信号強度および干渉レベルを結合するので、この測定値は可動性の決定のための更なる助けを提供する。この測定された値は、測定された周波数帯域がＬＴＥにより占有されているかどうかを示すために使用することができる。
【００３６】
一実施形態では、測定回路２１０は、１つまたは複数のセル固有参照信号（ＣＲＳ）、チャネル状態情報参照信号（ＣＳＩ−ＲＳ）、またはＬＴＥ−Ｕ固有参照信号（たとえば、５ｍｓ、１０ｍｓ、または４０ｍｓごとなど、数ミリ秒（ｍｓ）ごとに送信された参照信号）を用いて、ＲＳＲＱまたはＲＳＲＰの値を算出することができる。
【００３７】
別の実施形態では、測定回路２１０は、測定した周波数帯域がＣＯＳ報告のためにビジーであるか、アイドルであるかを示す値を算出することができる。この値は、バイナリ値またはブール値であってもよい。たとえば、測定回路２１０は、周波数帯域のＲＳＳＩを測定し、測定したＲＳＳＩ値をＲＳＳＩしきい値（たとえば、所定のしきい値または上位レイヤシグナリングにより定義されたしきい値）と比較することができる。ＲＳＳＩ値がＲＳＳＩしきい値以上であれば、測定回路２１０は、測定した周波数帯域がビジーである（たとえば、占有されている）ことを示すことができ、そうでなければ測定回路２１０は、測定した周波数帯域がアイドルである（たとえば、占有されていない）ことを示すことができる。
【００３８】
別の実施形態では、測定回路２１０は、ＣＯＳ報告のために、ＣＡに適した１つまたは複数の周波数帯域、たとえば、「最良」の未認可帯域および／または最も干渉の少ない帯域を示す１つまたは複数の値を算出するように構成することができる。たとえば、測定回路２１０は、未認可帯域の複数の可能性のあるＣＣのＲＳＳＩ測定を行い、最も低いＲＳＳＩ値を有する複数のＣＣのうちの１つまたは複数を決定することができる。測定回路２１０は、ｅＮＢに報告するために、これらの１つまたは複数のＣＣを制御回路２０６に知らせることができる。
【００３９】
別の実施形態では、ＣＯＳ報告のために、測定回路２１０は、検出された干渉および／または熱雑音とＬＢＴ（ｌｉｓｔｅｎ−ｂｅｆｏｒｅ−ｔａｌｋ）しきい値との比較に関連する期間についての値を算出するように構成することができる。たとえば、第１の値は、測定回路２１０により測定された、すべての干渉および／または熱雑音を含む、総受信電力がＬＢＴしきい値以上である期間とすることができ、第２の値は、測定回路２１０により測定された、すべての干渉および／または熱雑音を含む、総受信電力がＬＢＴしきい値未満である期間とすることができる。ＬＢＴしきい値は、動作周波数の関数（たとえば、ｅＮＢ送信電力）として定義することができ、あるいはＵＥ固有（たとえば、ＲＲＣ）信号伝達またはセル固有信号伝達を使用してＵＥ２００に知らせることができる。
【００４０】
このような実施形態では、測定回路２１０は、制御回路２０６に対して、第１の値または第２の値が測定された期間のＲＳＳＩ、ＲＳＲＰ、および／またはＲＳＲＱのうちの１つまたは複数の値と組み合わせて、第１の値および／または第２の値を送ることができる。制御回路２０６がｅＮＢへこれらの値を送信させることができるので、ｅＮＢは、アイドル期間および／またはビジー期間（たとえば、測定された帯域がＷｉＦｉおよび／または他のＬＴＥで占有されている場合）を決定することができる。
【００４１】
様々な実施形態では、測定回路２１０は、本明細書で説明した複数の測定を実行し、対応する値を制御回路２０６に知らせることができる。制御回路２０６は、それに応じて、ＣＯＳ報告のために値をｅＮＢへ送信させることができる。さらに、測定回路２１０は、複数のＣＣ（たとえば、すべての使用可能なＣＣ）の１つまたは複数の測定を実行し、対応する値ｅを制御回路２０６に知らせることができる。一実施形態では、測定回路２１０が測定を行う複数のＣＣは、ｅＮＢによってＵＥ固有（ＲＲＣ）信号伝達またはセル固有信号伝達により通知することができる。別の実施形態では、測定回路２１０が測定を行う複数のＣＣは、あらかじめ決定することができる。
【００４２】
様々な実施形態では、制御回路２０６は、測定回路２１０により算出された１つまたは複数の値に基づいて１つまたは複数のメッセージを生成し、ｅＮＢへ送信させることができる。この制御回路２０６は、たとえば、ｅＮＢから受信した指示（たとえば、測定報告のための指示を含むメッセージ）に基づいて、周期的または非周期的にこの送信を生じさせることができる。
【００４３】
様々な実施形態では、制御回路２０６は、アップリンクグラントに基づいてＣＯＳ報告のために始動されてもよい。ＣＯＳ報告は、非周期的なＣＯＳ始動を含むアップリンクグラントにより示される単一のアップリンクＣＣで搬送されるＰＵＳＣＨ上にマッピングすることができる。制御回路２０６が非周期的なＣＯＳ報告を検出すると、制御回路２０６は、既存のアップリンク制御情報（ＵＣＩ）および／またはＰＵＳＣＨのデータとともに、ＣＯＳ報告データ（たとえば、１つまたは複数の測定についての１つまたは複数の値）を多重化することができる。制御回路２０６は、ベースバンド回路２１２に対して、ＣＳＩ報告に関連するビットと共に、ＣＯＳ報告に関連するビットを共同してまたは別個に符号化させることができる。
【００４４】
非周期的な測定報告では、ダウンリンク制御情報（ＤＣＩ）フォーマット０および４は、アップリンク伝送をスケジューリングするために用いることができる。これら２つのＤＣＩフォーマットでは、チャネル状態情報（ＣＳＩ）要求フィールドを、ＣＳＩフィードバックを始動させるために使用することができる。具体的には、制御回路２０６は、アップリンクグラントの１つまたは複数のビットを設定することにより、物理アップリンク共有チャネル（ＰＵＳＣＨ）で伝送される非周期的なチャネル状態報告についてのｅＮＢからの明示的な要求を検出することができる。ＣＡでは、どのダウンリンクＣＣのＣＳＩを報告するべきかを指示するために、２ビットを使用することができる。
【００４５】
ＬＴＥ−Ｕに関連して、ＣＳＩ要求フィールドのビット数（たとえば２ビット）は、たとえば、ＵＥ固有探索空間（ＵＳＳ）上にマッピングされたＤＣＩフォーマット０および４について、再定義および／または拡張することができる。ＤＣＩフォーマット０および１Ａの同一ペイロードサイズを容易にするために、ゼロパディングビットを、ＵＳＳ上にマッピングされたＣＳＩフォーマット０に付加してもよい。
【００４６】
一実施形態では、非周期的なＣＯＳ報告は、表２に従って制御回路２０６において始動されてもよい。このような実施形態では、ＵＥ２００は、未認可帯域において１つまたは複数のサービングセルで構成されてもよい。制御回路２０６は、アップリンクＤＣＩまたはランダムアクセス応答グラントを復号化すると、対応するＰＵＳＣＨを用いて、非周期的なＣＳＩ報告と共に非周期的なＣＯＳ報知を行うことができる。１つのＣＳＩ要求フィールド（たとえば「１０」）に関連する１つまたは複数のサービングセル構成は、異なるＩＥで共同してまたは別々に構成することができる。
【００４７】
【表２】
0006426207.tif 000003
非周期的な測定報告の別の実施形態では、制御回路２０６は、ＤＣＩフォーマットに関連する追加のフィールドに基づいて、少なくともＣＯＳ報告を送信するように始動することができる。このような実施形態では、ＤＣＩフォーマットは、更なるフィールド（たとえば、２ビットフィールド）を含んでもよい。制御回路２０６は、ＵＳＳのＤＣＩフォーマットのこの更なるフィールドを検出することができる。制御回路２０６は、対応するＰＵＳＣＨを用いて、ＣＳＩ報告と共にＣＯＳ報告を送信させることができる。
【００４８】
このような実施形態の一例によれば、制御回路２０６は、ＣＯＳ報告を行うＣＣの組み合わせを検出することができる。制御回路２０６は、上位レイヤ信号伝達、たとえばＲＲＣ信号伝達によりＣＣの組み合わせを検出することができる。一実施形態では、組み合わせのＣＣの数は予め定義することができる。
【００４９】
非周期的な測定報告の別の実施形態では、制御回路２０６は、ＣＳＩ要求フィールドに関連する追加のフィールドに基づいて、少なくともＣＯＳ報告を送信するように始動することができる。このような実施形態では、ＣＳＩ要求は、ＣＯＳ報告の要求に関連する追加のビット（たとえば、２または４の追加ビット）を含むことができる。
【００５０】
たとえば、制御回路２０６は、ＣＯＳおよびＣＳＩ報告のための、未認可帯域でのサービングセルと認可帯域でのサービングセルとの組み合わせを検出することができる。
【００５１】
このような例によれば、測定回路２１０は、複数のＣＣ（たとえば、１０）でＲＳＳＩ測定を行うように構成することができる。制御回路２０６は、制御回路２０６に対して、１つまたは複数のＣＣ上でＲＳＳＩ測定を実行させるように測定回路２１０へ通知させる追加のビットを有するＣＳＩ要求フィールドを検出することができる。たとえば、「００００」は、測定回路２１０が、未認可帯域のインデックス５に関連するＣＣと、認可帯域のインデックス３に関連するＣＣと、についてＲＳＳＩ測定を行うことを示すことができ、「０００１」は、測定回路２１０が、認可帯域のインデックス１および２に関連するＣＣのＣＳＩ報告と共に、未認可帯域におけるインデックス１に関連するＣＣについてＲＳＳＩ測定を行うことを示すことなどができる。
【００５２】
このような実施形態の別の例では、制御回路２０６は、３ビットを有するＣＳＩ要求フィールドを検出することができる。このような例では、制御回路２０６による「０００」の検出は、制御回路２０６に対して、測定回路２１０が未認可帯域において構成されたＣＣの中から占有されていないＣＣ（たとえば、「最良」の占有されていないＣＣおよび／またはより低い測定された干渉を有する占有されていないＣＣ）を識別すべきことを、測定回路２１０へ通知させることができる。同様に、制御回路２０６による「００１」の検出は、制御回路２０６に対して、測定回路２１０が未認可帯域において構成されたＣＣの中から２つの占有されていないＣＣ（たとえば、２つの「最良」の占有されていないＣＣおよび／または２つの最も低い測定された干渉を有する占有されていないＣＣ）を識別すべきことを、測定回路２１０へ通知させることができる。上記２つの例は、追加のビットを有するＣＳＩ要求フィールドを参照して説明しているが、制御回路２０６がＤＣＩフォーマットの追加のビットを検出するように構成される同様の例が、本明細書で想定される。
【００５３】
別の実施形態では、制御回路２０６は、ＣＯＳ報告を送信せずに、非周期的なＣＳＩ報告を送信するように構成することができる。たとえば、制御回路２０６は、測定回路２１０に対して、未認可帯域の１つまたは複数のＣＣについて測定を行い、最良のＣＣ（たとえば、最も低い干渉および／または熱雑音を示す測定を有するＣＣなど）のうちの１つまたは複数を選択させるように構成することができる。このような実施態様によれば、制御回路２０６は、未認可帯域のこれらの選択されたＣＣについてのＣＳＩ報告を送信するように構成することができる。このような実施形態では、制御回路２０６は、ＣＳＩ報告が含まれるサービングセルを示すために、選択された各ＣＣに対応する１つまたは複数のビットを含むように構成することができる。選択されるＣＣの数は、予め定義することができ（たとえば、仕様書で定義される）、あるいは上位レイヤ信号伝達により制御回路２０６によって検出することができ、あるいはＣＳＩ要求フィールドにおいて制御回路２０６によって検出することができる。
【００５４】
周期的な測定報告では、ＰＵＣＣＨフォーマット２／２ａ／２ｂ／３がＰＵＣＣＨのＣＳＩ報告の送信に使用される。特に、ＰＵＣＣＨフォーマット２／２ａ／２ｂにより送信する場合には、ＣＱＩ情報を（２０，Ａ）Ｒｅｅｄ−Ｍｕｌｌｅｒ符号を使用して符号化することができる。
【００５５】
様々な実施形態では、制御回路２０６は、ＰＵＣＣＨのフォーマット２に関連するＣＯＳ報告を行うことができる。ＣＯＳ報告に関連するビットの数に応じて、制御回路２０６は、未認可帯域の複数のサービングセルおよび／またはＣＣについての複数の値を単一のＰＵＣＣＨインスタンスに統合して送信することができ、あるいは制御回路２０６は、ベースバンド回路２１２に対して、時分割多重化（ＴＤＭ）によりビットを多重化させることができる。ＴＤＭでは、制御回路２０６は、各ＣＣのＣＯＳ報告が衝突しないように、ＣＣごとに異なるオフセットでＣＯＳ報告を構成することができる。さらに、制御回路２０６は、たとえば、上位レイヤ信号伝達により、ＬＴＥ−Ｕ  ＰＵＣＣＨフォーマット２伝送のための専用リソース割り当てを検出することができる。
【００５６】
一実施形態では、制御回路２０６は、ｅＮＢからの要求に応じて、未認可帯域の複数のＣＣのうちの１つまたは複数の占有されていないＣＣを報告するように構成することができる。たとえば、制御回路２０６は、８つのＣＣのうちの２つの最良のＣＣを報告するように構成することができ、ＣＯＳ報告に関連するビット数は６とすることができる。未認可帯域のＣＣについての周期的なＣＳＩおよびＣＯＳ報告では、制御回路２０６は、時間領域で異なるオフセット値を用いて異なるＣＣについての報告を送信するように構成することができる。周期的なＣＳＩおよびＣＯＳ報告が同一サブフレーム内で衝突する場合には、所定の優先順位リストに従って異なる報告に優先順位を付けることができる。
【００５７】
周期的な報告の別の実施形態では、制御回路２０６は、未認可帯域の複数のＣＣ（たとえば、２）についてのＲＳＳＩ測定値を報告するように構成することができ、各ＣＣの各ＲＳＳＩ測定値に関連するビット（たとえば８）は、時間領域で異なるオフセットを有するＰＵＣＣＨで送信することができる。
【００５８】
周期的な報告の別の実施形態では、ＰＵＣＣＨフォーマット２／２ａ／２ｂは、ＬＴＥ−Ｕ測定報告をサポートするように拡張することができる。具体的には、制御回路２０６は、ベースバンド回路２１２に対して、ベースバンド回路２１２におけるチャネル符号化の前に、ＣＯＳ報告に関連するビットをＣＱＩおよび／またはＲＩに関連するビットと多重化させることができる。ＣＯＳ報告に関連するビットの総数が比較的小さい場合には、ＰＵＣＣＨフォーマット２／２ａ／２ｂのこの拡張が適切であり得る。
【００５９】
周期的な報告の別の実施形態では、ＰＵＣＣＨフォーマット３は、ＬＴＥ−Ｕ測定報告をサポートするために再使用することができる。４８の符号化されたビットが１つのＰＵＣＣＨフォーマット３で送信することができるとすると、制御回路２０６は、ＣＯＳ報告のための複数の測定値に関連するビットを統合して、ベースバンド回路２１２により共同で（ｊｏｉｎｔｌｙ）または別個に（ｓｅｐａｒａｔｅｌｙ）符号化し、単一のＰＵＣＣＨインスタンスで送信することができる。制御回路２０６は、たとえば、上位レイヤ信号伝達（たとえば、ＲＲＣ）に基づいて、ＰＵＣＣＨリソースを識別するように構成することができる。
【００６０】
図３を参照すると、ブロック図は、様々な実施形態による、ＣＯＳ報告およびＣＳＩ報告に関連するビットの符号化を示す。様々な実施形態では、ジョイントコーダ３０８および／またはテイルバイティング畳み込み符号化（ＴＢＣＣ）エンコーダ３１２は、図２の制御回路２０６からの信号に応答して動作することができる、ベースバンド回路２１２などのＬＴＥ−Ｕ  ＵＥのベースバンド回路内に含まれてもよい。
【００６１】
実施形態では、ＣＯＳ報告に関連するビットは、ＣＳＩ報告に関連するビットと共に符号化することができる。実施形態では、ＣＯＳ報告Ｎ１  ３０２に関連するビットおよびＣＳＩ報告Ｎ２  ３０４に関連するビットを多重化する（３２０）ことができ、ジョイントコーダ３０８に通知することができる。ジョイントコーダ３０８は、多重化されたビット３２０を符号化して、多重化され、かつ共同で符号化されたビット３１０をＴＢＣＣエンコーダ３１２に通知することができる。ＴＢＣＣエンコーダ３１２から、符号化されたビットに関連するデータシンボルを、全サブフレーム期間にわたって最初のデータリソースからマッピングすることができる。
【００６２】
別の実施形態では、ＣＯＳ報告Ｎ１  ３０２に関連するビットおよびＣＳＩ報告Ｎ２  ３０４に関連するビットは、インターリーブされない（３４０）が、ジョイントコーダ３０８に通知することができる。ジョイントコーダ３０８は、インターリーブされていないビット３４０を符号化して、共同で符号化されたビット３１０をＴＢＣＣエンコーダ３１２に通知することができる。ＴＢＣＣエンコーダ３１２から、符号化されたビットに関連するデータシンボルを、全サブフレーム期間にわたって最初のデータリソースからマッピングすることができる。
【００６３】
あるいは、ジョイントエンコーダ３０８は、ＣＯＳ報告Ｎ１  ３０２に関連するビットおよびＣＳＩ報告Ｎ２  ３０４に関連するビットを含むペイロードのサイズによる条件付きエンコーダ選択方式のために、ＴＢＣＣエンコーダ３１２に加えてターボエンコーダ（図示せず）と結合することができる。ジョイントエンコーダ３０８においてＣＯＳ報告Ｎ１  ３０２に関連するビットとＣＳＩ報告Ｎ２  ３０４に関連するビットとを連結した後に、共同で符号化されたビット３１０を、ＴＢＣＣエンコーダ３１２またはターボエンコーダのいずれかに送ることができる。
【００６４】
このような実施形態では、ＴＢＣＣエンコーダ３１２またはターボエンコーダのどちらが使用されるかは、共同で符号化されたビット３１０のサイズに左右される。たとえば、２つのしきい値Ｋｂｉｔ，０およびＫｂｉｔ，１を構成してもよい（たとえば、上位レイヤ信号伝達により）。共同で符号化されたビット３１０のサイズがＫｂｉｔ，１よりも大きい場合には、ターボエンコーダを用いることができ、共同で符号化されたビット３１０のサイズがＫｂｉｔ，０よりも小さい場合には、ブロック符号化（３２，０）を用いることができるが、そうでなければ、ＴＢＣＣ３１２は、共同で符号化されたビット３１０を符号化するために用いることができる。一般に、ペイロードサイズがしきい値を超える場合には、ＴＢＣＣに比較してターボ符号化に利益があることが多いが、それは未認可帯域のＣＣの数がしばしばかなり大きいことを考慮するＬＴＥ−Ｕシナリオで起こり得る。いくつかの実施形態では、これらの符号化方式は、ＣＯＳ報告に関連するビットのないＣＳＩ報告のためにも使用することができる。
【００６５】
図４を参照すると、ブロック図は、様々な実施形態による、ＣＯＳ報告に関連するシンボルを有するＰＵＳＣＨのリソース要素４００を示す。一実施形態では、シンボルは、図２のベースバンド回路２１２などの、ＬＴＥ−Ｕ  ＵＥのベースバンド回路により、リソース要素４００にマッピングすることができる。リソース要素４００において、ＣＯＳ報告に関連するビットおよびＣＳＩ報告に関連するビットを別々に符号化することができる。実施形態によれば、ＣＯＳ報告に関連するビットを別々に符号化して、ＰＵＳＣＨが送信される物理リソースブロック（ＰＲＢ）内のリソース要素４００にマッピングすることができる。図示する実施形態では、ＣＯＳ報告に関連するビットは、ＣＳＩ報告に関連するＲＩのシンボル４０８の隣の最初および最後のシンボル４０４にマッピングされる。データに関連するシンボル４１０は、ＣＯＳシンボル４０４の周囲にレートマッチングされる。
【００６６】
図５を参照すると、ブロック図は、様々な実施形態による、ＣＯＳ報告に関連するシンボルを有するＰＵＳＣＨのリソース要素５００を示す。一実施形態では、シンボルは、図２のベースバンド回路２１２などの、ＬＴＥ−Ｕ  ＵＥのベースバンド回路により、リソース要素５００にマッピングすることができる。リソース要素５００において、ＣＯＳ報告に関連するビットおよびＣＳＩ報告に関連するビットを別々に符号化することができる。実施形態によれば、ＣＯＳ報告に関連するビットを別々に符号化して、ＰＵＳＣＨが送信されるＰＲＢ内のリソース要素５００にマッピングすることができる。図示する実施形態では、ＣＯＳ報告に関連するビットは、参照信号（ＲＳ）シンボル５１２の近くのシンボル５０８ＲＩと同じシンボル５０４にマッピングされる。
【００６７】
図６を参照すると、ブロック図は、様々な実施形態による、未認可帯域のＣＣについてのＣＳＩ報告を示す。一実施形態では、未認可帯域のＣＣについてのＣＳＩ報告は、図２の制御回路２０６などの、ＬＴＥ−Ｕ  ＵＥの制御回路によって実行することができる（たとえば、明示的なＣＯＳ報告なしに選択されたＣＣをｅＮＢに通知する）。
【００６８】
実施形態では、１０のＣＣ６０２ａ〜ｊは、未認可帯域に構成することができる。１０ビットのビットマップ６１４を、ＣＳＩ報告のために構成することができる。実施形態では、ＬＴＥ−Ｕ  ＵＥは、ＣＣ６０２ａ〜ｊのＬＴＥ−Ｕ  ＵＥによって行われた１つまたは複数の測定に応じて、未認可帯域のＣＣについてのＣＳＩ報告と関連する番号Ｍを選択するように構成される。実施形態では、ＬＴＥ−Ｕ  ＵＥは、ＣＣ６０２ａ〜ｊで実行された測定に基づいて、複数のＣＣ６０２ａ、ｄ、ｇ、ｉ、ｊを選択するように構成することができる。選択されたＣＣ６０２ａ、ｄ、ｇ、ｉ、ｊは、他のＣＣよりも低い干渉および／または熱雑音を示す１つまたは複数の測定を有するものとすることができる。ＬＴＥ−ＵＥは、選択されたＣＣ６０２ａ、ｄ、ｇ、ｉ、ｊについてのＣＳＩ報告を行い、ＣＳＩ報告を有する複数のＣＣ６０２ａ〜ｊのＣＣ６０２ａ、ｄ、ｇ、ｉ、ｊを示すビットマップ６１４と共に、複数のＣＳＩ報告６１２ａ〜ｅをｅＮＢに送信するように構成することができる。ＣＳＩ報告６１２ａ〜ｅおよびビットマップ６１４は、別々に符号化することができる。
【００６９】
図７を参照すると、ブロック図は、様々な実施態様による、未認可帯域においてＵＥ（図示せず）との通信を構成するｅＮＢ７００を示す。様々な実施形態では、ｅＮＢ７００は図１のｅＮＢ１０５の一実施形態であってもよい。ｅＮＢ７００は、他の構成要素のうち、少なくとも図示するように互いに結合された構成回路７０６、メッセージ生成回路７１０、ベースバンド回路７１２、およびＲＦ回路７１４を含むことができる。いくつかの実施形態では、回路７０６、７１０、７１２、７１４のうちの１つまたは複数は、たとえば、システム・オン・チップ（ＳｏＣ）または他の集積回路に、互いに集積化されてもよい。たとえば、いくつかの実施形態では、構成回路７０６、メッセージ生成回路７１０、およびベースバンド回路７１２は、ベースバンドチップセットに互いに集積化することができる。
【００７０】
様々な実施形態では、ＲＦ回路７１４は、ｅＮＢ７００との間で信号の無線通信を容易にするために、１つまたは複数のアンテナ７２０と結合することができる。ＲＦ回路７１４の動作は、限定はしないが、信号のフィルタ処理、増幅、記憶、変換などを含むことができる。送信経路（Ｔｘ）では、ＲＦ回路７１４は、電力増幅器および／またはアップコンバータを含むことができる。受信経路（Ｒｘ）では、ＲＦ回路７１４は、低雑音増幅器および／またはダウンコンバータを含むことができる。
【００７１】
様々な実施形態では、ベースバンド回路７１２は、空中で伝送するためにＲＦ回路７１４に信号を提供するように構成することができる。ベースバンド回路７１２の動作は、限定はしないが、信号のスクランブル処理、多重化、符号化などを含むことができる。送信経路（Ｔｘ）では、ベースバンド回路７１２は、信号の符号化および変調を行うように構成することができる。受信経路（Ｒｘ）では、ベースバンド回路７１２は、信号の復号化および復調を行うように構成することができる。
【００７２】
ベースバンド回路７１２は、構成回路７０６を含むことができ、あるいはそれと通信可能に接続することができる。構成回路７０６は、ＵＥが１つもしくは複数の未認可周波数帯域を用いて通信する能力、および／またはＵＥが通信することができる１つもしくは複数の未認可周波数帯域を示す、少なくとも１つのメッセージを処理するように構成することができる。この通信は、ＬＴＥ規格（ＬＴＥ−Ａ規格を含む）によることができる。一実施形態では、構成回路７０６は、サポートされた帯域組み合わせＩＥを有するＵＥ能力情報メッセージの受信に基づいて、この能力を検出するように構成することができる。実施形態では、ＵＥ能力情報メッセージは、認可帯域のＣＣと未認可帯域のＣＣとの間のＣＡの使用可能性に関連する未認可周波数帯域およびＬＴＥ認可帯域のセットを含むことができる。ＵＥ能力情報メッセージは、認可帯域のＣＣと未認可帯域のＣＣとの間のＣＡの使用可能性、たとえばサポート帯域幅クラスおよび／またはダウンリンクに対応するＭＩＭＯ能力などに関連する１つまたは複数のサブフィールドをさらに含むことができる。ＵＥ能力情報メッセージは、１つまたは複数の未認可帯域に関連する情報を含むことができるが、ＵＥ能力情報メッセージは、認可帯域で受信することができる。
【００７３】
ＬＴＥ  ＵＥ帯域組み合わせのための信号伝達原理と同様に、ＬＴＥ−Ｕが使用する未認可周波数帯域は、対応する周波数割り当てに関連する１つまたは複数の多重周波数帯域のローマ数字でラベル付けすることができる。一実施形態では、５１７０〜５３３０ＭＨｚ（たとえばＩＥＥＥ８．０２１ｌｘ）の未認可帯域は「Ｘ」に番号付けすることができ、５４９０以上の未認可帯域は、ＵＥ  ＬＴＥ−Ｕ  ＣＡ能力報告に関連づけることができる。このような実施形態では、１つまたは複数の未認可帯域におけるＬＴＥ−Ｕ動作は、時分割複信（ＴＤＤ）フレーム構造を含むことができ、それは可能性のある完全ダウンリンク構成（たとえば、周波数分割複信（ＦＤＤ）ダウンリンクのみのＣＣ）を含む。表１は、このような実施形態を示す。
【００７４】
別の実施形態では、構成回路７０６は、認可周波数帯域および未認可周波数帯域の両方のＵＥの帯域幅クラスと、対応するダウンリンクＭＩＭＯ能力と、の少なくとも１つのメッセージに含まれる指示に基づいて、１つまたは複数の未認可周波数帯域を用いて通信するＵＥの能力を示す少なくとも１つのメッセージを処理することができる。たとえば、少なくとも１つのメッセージは値「ＣＡ  ｌ  Ａ−ＸＣ」を含むことができ、それは未認可周波数帯域Ｘの帯域幅クラス「Ｃ」と統合された、認可周波数帯域１の帯域幅クラス「Ａ」を有する帯域間ＣＡ通信を、ＵＥが可能であることを構成回路７０６に示すことができる。
【００７５】
いくつかの実施形態では、構成回路７０６は、認可帯域で動作し、かつ未認可周波数帯域で１つまたは複数の測定を行う場合に、少なくとも１つのメッセージの中の、測定ギャップについての指示を検出することができる。構成回路７０６は、ＵＥ能力情報メッセージの周波数間ギャップ必要性ＩＥの中のそのような指示を検出することができる。これに応答して、構成回路７０６は、ＵＥが測定を実行することができる１つまたは複数の測定ギャップを識別することができる。構成回路７０６は、ＵＥに送信するために、この情報をメッセージ生成回路７１０に伝えることができる。
【００７６】
１つまたは複数の未認可周波数帯域での通信をサポートする際に、構成回路７０６は、１つまたは複数の未認可周波数帯域においてＵＥにより行われる測定に関連する情報を識別することができるので、ｅＮＢ７００は、少なくとも１つの未認可帯域の１つまたは複数のＣＣによるＣＡ通信を容易にすることができる。実施形態では、構成回路７０６は、ＵＥによって送信された能力メッセージにおいて構成回路７０６に示された未認可帯域などの、１つまたは複数の未認可帯域で実行される１つまたは複数の測定を識別することができる。
【００７７】
構成回路７０６は、この識別された情報をメッセージ生成回路７１０に伝えることができる。メッセージ生成回路７１０は、ＵＥにより１つまたは複数の未認可帯域で実行される１つまたは複数の測定を示す少なくとも１つのメッセージを生成することができる。一実施形態では、この少なくとも１つのメッセージは、ＲＲＣ接続再構成メッセージを含むことができる。ＲＲＣ接続再構成メッセージは、ＵＥがＲＲＣ接続モードで動作している場合に、認可周波数帯域を用いてＵＥに送信することができる。様々な実施形態では、このメッセージは、ＵＥによるＣＯＳおよび／またはＣＳＩ報告を始動することができ、かつ／あるいは、ＵＥによりＣＯＳおよび／またはＣＳＩ報告を始動する少なくとも１つのイベントおよび／または期間を定義することができる。
【００７８】
様々な実施形態では、メッセージは、測定ＩＤ、測定タイプ、コマンド（たとえば、設定、変更、開放）、測定対象、測定量、報告量、および報告基準（たとえば、周期的または非周期的／イベント始動）のうちの１つまたは複数を含むことができる。一実施形態では、このメッセージまたは別のメッセージは、ＵＥが測定のうちの１つまたは複数を実行する１つまたは複数の測定ギャップの指示を含むことができる。測定ギャップは、たとえば、アップリンク伝送がＵＥおよびｅＮＢ７００からスケジューリングされていない期間とすることができる。これに応答して、ＵＥは、１つまたは複数の未認可帯域で１つまたは複数の測定を行い、実行した測定に基づいて１つまたは複数の値を算出することができる。ＵＥは、１つまたは複数の値をｅＮＢ７００に知らせることができる。１つまたは複数の値に基づいて、構成回路７０６は、少なくとも１つの未認可帯域の１つまたは複数のＣＣによりＵＥとの間の通信を構成することができる。
【００７９】
様々な実施形態によれば、構成回路７０６は、ＣＳＩおよび／またはＣＯＳ報告の要求を示すように構成することができる。ＣＳＩ報告の要求は、ＣＱＩ、ＰＭＩ、ＰＴＩ、および／またはＲＩに関連する１つまたは複数の値の要求を含むことができる。ＣＯＳ報告の要求は、ビジーおよび／もしくはアイドルの指示（たとえば、ブール値またはバイナリ値）、ならびに／またはｅＮＢがチャネル状態を判定することができる値の要求を含むことができる。
【００８０】
一実施形態では、構成回路７０６は、未認可帯域の１つまたは複数のＣＣについてのＲＳＳＩのＣＯＳ報告の中の値を検出することができる。ＲＳＳＩ値から、構成回路７０６は、測定した周波数帯域が、たとえば、ＷｉＦｉまたはＬＴＥにより占有されているかどうかを判定することができる。
【００８１】
別の実施形態では、構成回路７０６は、ＲＳＲＰのＣＯＳ報告の中の値を検出することができる。ＲＳＲＰ値から、構成回路７０６は、測定した周波数帯域がＬＴＥにより占有されているかどうかを判定することができる。
【００８２】
別の実施形態では、構成回路７０６は、ＲＳＲＱのＣＯＳ報告の中の値を検出することができる。ＲＳＲＱから、構成回路７０６は、測定した周波数帯域がＬＴＥにより占有されているかどうかを判定することができる。
【００８３】
一実施形態では、構成回路７０６は、ＵＥによる１つまたは複数の値（たとえばＲＳＲＰ、ＲＳＲＱ）の算出のためにＣＲＳ、ＣＳＩ−ＲＳ、および／またはＬＴＥ−Ｕ固有参照信号（たとえば、５ｍｓ、１０ｍｓ、または４０ｍｓなど数ミリ秒（ｍｓ）ごとに送信される参照信号）のうちの少なくとも１つを、ＵＥへ送信させることができる。
【００８４】
別の実施形態では、構成回路７０６は、未認可周波数がビジーであるかアイドルであるかを示すＣＯＳ報告の中の値を検出することができる。この値は、バイナリ値またはブール値であってもよい。構成回路７０６は、未認可帯域の複数のＣＣについてのビジーまたはアイドル状態の表示を検出することができる。
【００８５】
別の実施形態では、構成回路７０６は、ＵＥにより測定されるように、ＣＡに適した１つまたは複数の周波数帯域、たとえば、「最良」の未認可帯域および／または最も干渉の少ない帯域を示すＣＯＳ報告の中の値を検出することができる。たとえば、構成回路７０６は、ＵＥが通信することができる未認可帯域の複数のＣＣのＵＥからの指示を処理することができる。
【００８６】
別の実施形態では、ＣＯＳ報告のために、構成回路７０６は、検出された干渉および／または熱雑音とＬＢＴしきい値との比較に関連する期間についての値を検出するように構成することができる。構成回路７０６は、メッセージ生成回路７１０に対して、ＵＥへＬＢＴしきい値を通知させることができる。ＬＢＴしきい値に基づいて、ＵＥは、すべての干渉および／または熱雑音を含む、総受信電力がＬＢＴしきい値以上である期間について第１の値を報告することができ、かつ／あるいは、第２の値は、すべての干渉および熱雑音を含む、総受信電力がＬＢＴしきい値未満である期間とすることができる。第１および第２の値は、未認可帯域の１つまたは複数のＣＣに関連づけることができ、構成回路７０６は、１つまたは複数のＣＣを、第１および／または第２の値に基づいてＵＥと通信するために構成するべきか否かを決定することができる。したがって、構成回路７０６は、未認可帯域に関連するアイドルおよび／またはビジー期間を決定することができる（たとえば、測定された帯域がＷｉＦｉおよび／または他のＬＴＥで占有されている場合）。
【００８７】
一実施形態では、構成回路７０６は、ＵＥからのＣＳＩおよび／またはＣＯＳ報告に頼ることなく、ＵＥと通信するために未認可帯域の１つまたは複数のＣＣを構成し、活性化することができる。このような実施形態では、Ｐセル（たとえば、ｅＮＢ７００により提供されるセル）は、Ｓセル（たとえば、アクセスノードにより提供される未認可帯域のセル）に並置されてもよいが、ｅＮＢ７００は、認可帯域および未認可帯域の両方にＣＣを提供することができる。
【００８８】
様々な実施形態では、構成回路７０６は、周期的または非周期的にＵＥから受信した１つまたは複数のメッセージを処理することができる。構成回路７０６は，メッセージ生成回路７１０に対して、ＣＯＳおよび／またはＣＳＩ報告を周期的にするか、あるいは非周期的するかを示すメッセージを生成させることができる。一実施形態では、メッセージ生成回路７１０は、ＲＲＣ接続再構成メッセージにこのような指示を含むことができるが、しかし、他の実施形態も本明細書で想定される。
【００８９】
非周期的な測定報告では、ダウンリンク制御情報（ＤＣＩ）フォーマット０および４は、アップリンク伝送をスケジューリングするために用いることができる。これら２つのＤＣＩフォーマットでは、構成回路７０６は、メッセージ生成回路７１０に対して、ＣＳＩ要求フィールドを含むメッセージを生成させることができる。具体的には、構成回路７０６は、アップリンクグラントの１つまたは複数のビットを設定することにより、ＰＵＳＣＨで送信される非周期的なチャネル状態報告を、ＵＥに対して明示的に要求することができる。ＣＡでは、どのダウンリンクＣＣのＣＳＩを報告するべきかを指示するために、２ビットを使用することができる。ＣＳＩ要求フィールドのビット数（たとえば２ビット）は、たとえば、ＵＳＳ上にマッピングされたＤＣＩフォーマット０および４について、再定義および／または拡張することができる。ＤＣＩフォーマット０および１Ａの同一ペイロードサイズを容易にするために、ゼロパディングビットを、ＵＳＳ上にマッピングされたＣＳＩフォーマット０に付加してもよい。一実施形態では、構成回路７０６は、メッセージ生成回路７１０に対して表２によるＣＳＩ要求フィールドを有するメッセージを生成させることによって、ＵＥに非周期的なＣＯＳ報告を要求することができる。
【００９０】
非周期的な測定報告の別の実施形態では、構成回路７０６は、ＤＣＩフォーマットに関連する追加のフィールドに基づいて、ＵＥに対してＣＯＳ報告を要求することができる。このような実施形態では、ＤＣＩフォーマットは、更なるフィールド（たとえば、２ビットフィールド）を含んでもよい。メッセージ生成回路７１０は、この更なるフィールドを有するＵＳＳにＤＣＩフォーマットを生成することができる。構成回路７０６は、対応するＰＵＳＣＨによりＵＥからＣＳＩ報告と共にＣＯＳ報告を検出することができる。このような実施形態の一例によれば、構成回路７０６は、メッセージ生成回路７１０に対して、ＣＯＳ報告が行われるＣＣの組み合わせの指示をＵＥへ送信させることができる。
【００９１】
非周期的な測定報告の別の実施形態では、構成回路７０６は、ＣＳＩ要求フィールドに関連する追加のフィールドに基づいて、ＵＥに対してＣＯＳ報告を要求することができる。このような実施形態では、ＣＳＩ要求は、ＣＯＳ報告の要求に関連する追加のビット（たとえば、２または４の追加ビット）を含むことができる。
【００９２】
たとえば、構成回路７０６は、ＣＯＳおよびＣＳＩ報告のための、未認可帯域でのサービングセルと認可帯域でのサービングセルとの組み合わせを識別または構成することができる。次に構成回路７０６は、メッセージ生成回路７１０に対して、ＣＯＳおよび／またはＣＳＩ報告を始動させるためにサービングセルの組み合わせをＵＥへ通知させることができる。
【００９３】
構成回路７０６は、メッセージ生成回路７１０に対して、ＵＥが１つまたは複数のＣＣ上でＲＳＳＩ測定を行うべきことをＵＥに示す追加のビット有するＣＳＩ要求フィールドを有するメッセージを生成させることができる。たとえば、「００００」は、ＵＥが、未認可帯域のインデックス５に関連するＣＣと、認可帯域のインデックス３に関連するＣＣと、についてＲＳＳＩ測定を行うべきことをＵＥに示すことができ、「０００１」は、ＵＥが、認可帯域のインデックス１および２に関連するＣＣのＣＳＩ報告と共に、未認可帯域におけるインデックス１に関連するＣＣについてＲＳＳＩ測定を行うべきことをＵＥに示すことなどができる。
【００９４】
このような実施形態の別の例では、構成回路７０６は、メッセージ生成回路７１０に対して、ＵＥが１つまたは複数のＣＣについてＲＳＳＩ測定を行うべきであることをＵＥに示す３ビットのＣＳＩ要求フィールドを有するメッセージを生成させることができる。たとえば、メッセージ生成回路７１０は、ＵＥが未認可帯域で構成されたＣＣのうちの占有されていないＣＣ（たとえば、「最良」の占有されていないＣＣおよび／またはより低い測定された干渉を有する占有されていないＣＣ）を識別するべきであることをＵＥに示す、ＣＳＩ要求フィールドの値「０００」を有するメッセージを生成することができる。同様に、メッセージ生成回路７１０は、ＵＥが未認可帯域で構成されたＣＣのうちの２つの占有されていないＣＣ（たとえば、２つの「最良」の占有されていないＣＣおよび／または２つの最も低い測定された干渉を有する占有されていないＣＣ）を識別するべきであることをＵＥに示す、ＣＳＩ要求フィールドの値「００１」を有するメッセージを生成することができる。上記２つの例は、追加のビットを有するＣＳＩ要求フィールドを参照して説明しているが、構成回路７０６がメッセージ生成回路７１０に対してＤＣＩフォーマットに追加のビットを構成させる同様の例が、本明細書で想定される。
【００９５】
別の実施形態では、構成回路７０６は、ＣＯＳ報告を送信せずに、ＵＥによる非周期的なＣＳＩ報告に基づいて、未認可帯域のＣＣを活性化および／または構成するように構成することができる。たとえば、構成回路７０６は、メッセージ生成回路７１０に対して、ＵＥへのＣＳＩ報告の要求を生成させるように構成することができる。この要求は、ＣＳＩ報告が行われる未認可帯域の１つまたは複数のＣＣの指示を含むことができる。この要求に応答して、構成回路７０６は、未認可帯域のこれらの選択されたＣＣについての、ＵＥから受信した、ＣＳＩ報告を処理するように構成することができる。このような実施形態では、構成回路７０６は、ＣＳＩ報告が含まれるサービングセルを示すために、ＵＥからの応答において、選択された各ＣＣに対応する１つまたは複数のビットを検出するように構成することができる。選択されるＣＣの数は、予め決定することができ（たとえば、仕様書で定義される）、あるいは構成回路７０６は、メッセージ生成回路７１０に対して、ＣＣの数を示すメッセージをＵＥへ送信させることができる。
【００９６】
周期的な測定報告では、ＰＵＣＣＨフォーマット２／２ａ／２ｂ／３がＰＵＣＣＨのＣＳＩ報告の送信に使用される。特に、ＰＵＣＣＨフォーマット２／２ａ／２ｂにより送信する場合には、ＣＱＩ情報を（２０，Ａ）Ｒｅｅｄ−Ｍｕｌｌｅｒ符号を使用して符号化することができる。
【００９７】
様々な実施形態では、構成回路７０６は、ＰＵＣＣＨのフォーマット２に関連するＣＯＳ報告を検出することができる。ＣＯＳ報告に関連するビットの数に応じて、構成回路７０６は、統合される未認可帯域の複数のサービングセルおよび／またはＣＣについての複数の値を含む単一のＰＵＣＣＨインスタンスを処理することができる。ベースバンド回路７１２は、時分割多重化（ＴＤＭ）によりビットを非多重化する。実施形態では、構成回路７０６は、ＬＴＥ−Ｕ  ＰＵＣＣＨフォーマット２伝送のための専用のリソース割り当てを構成することができ、それをＵＥへ送信させることができる。
【００９８】
一実施形態では、構成回路７０６は、未認可帯域の複数のＣＣのうちの１つまたは複数の占有されていないＣＣについての要求をＵＥに送信するように、メッセージ生成回路７１０に要求することができる。たとえば、構成回路７０６は、８つのＣＣのうちの２つの最良のＣＣを要求することができ、ＣＯＳ報告に関連するビット数は６とすることができる。未認可帯域のＣＣについての周期的なＣＳＩおよびＣＯＳ報告では、構成回路７０６は、時間領域で異なるオフセット値を用いて異なるＣＣについての報告を要求することができる。周期的なＣＳＩおよびＣＯＳ報告が同一サブフレーム内で衝突する場合には、所定の優先順位リストに従って異なる報告に優先順位を付けることができる。
【００９９】
周期的な報告の別の実施形態では、構成回路７０６は、未認可帯域の複数のＣＣ（たとえば、２）についての複数のＲＳＳＩ測定値を有するＣＯＳ報告を要求することができ、各ＣＣの各ＲＳＳＩ測定値に関連するビット（たとえば８）は、時間領域で異なるオフセットを有するＰＵＣＣＨで受信することができる。
【０１００】
周期的な報告の別の実施形態では、ＰＵＣＣＨフォーマット２／２ａ／２ｂは、ＬＴＥ−Ｕ測定報告をサポートするように拡張することができる。具体的には、ベースバンド回路７１２は、ベースバンド回路７１２におけるチャネル復号化の後に、ＣＯＳ報告に関連するビットと、ＣＱＩおよび／またはＲＩに関連するビットと、非多重化する。ＣＯＳ報告に関連するビットの総数が比較的小さい場合には、ＰＵＣＣＨフォーマット２／２ａ／２ｂのこの拡張が適切であり得る。
【０１０１】
周期的な報告の別の実施形態では、ＰＵＣＣＨフォーマット３は、ＬＴＥ−Ｕ測定報告をサポートするために再使用することができる。４８の符号化されたビットが１つのＰＵＣＣＨフォーマット３で受信することができるとすると、ＣＯＳ報告のための複数の測定値に関連するビットを統合して、ＵＥにより共同でまたは別個に符号化し、単一のＰＵＣＣＨインスタンスで送信することができる。構成回路７０６は、ビットが共同で符号化されるか、あるいは別個に符号化されるかに応じて、ＰＵＣＣＨインスタンスで受信されたビットを復号化するように構成することができる。一実施形態では、構成回路７０６は、このようなビットに関連するＰＵＣＣＨリソースを識別し、メッセージ生成回路７１０を介して、ＰＵＣＣＨリソースの表示をＵＥに送信する（たとえば、ＲＲＣ信号伝達により）ように構成することができる。
【０１０２】
図８を参照すると、ブロック図は、非周期的なＣＯＳ報告のためのＤＣＩフォーマットを示す。様々な実施形態では、ＤＣＩフォーマット８００は、ＵＥが非周期的なＣＯＳ報告をｅＮＢに提供するべきであることを、ＵＥに伝えるために使用することができる。たとえば、ＤＣＩフォーマット８００は、図１に示すように、ｅＮＢ１０５によりＵＥ１３０に、認可スペクトル１５２の一次キャリア１５３で通信され得る。
【０１０３】
様々な実施形態では、ＤＣＩフォーマット８００は、既存のＤＣＩフォーマットフィールド８１２を含むことができる。既存のＤＣＩフォーマットフィールド８１２は、ＣＳＩ要求のビットに関連するフィールド８１０を含むことができる。さらに、ＤＣＩフォーマットは、巡回冗長検査（ＣＲＣ）用のビットに関連するフィールド８１４を含むことができる。
【０１０４】
実施形態では、ＤＣＩフォーマット８００は、ＣＯＳ要求フィールドに関連する１つまたは複数のビット８０８を含めることによって拡張することができる。フィールド８０８のＣＯＳ要求ビットは、非周期的報告をどのように始動するべきかを指示する複数のビット（たとえば、２）を含むことができる。たとえば、フィールド８０８は、ＵＥで非周期的なＣＯＳ報告をどのように始動するべきかを示すために、表１によるビットを含むことができる。
【０１０５】
図９を参照すると、フローチャートは、様々な実施態様による、未認可周波数帯域を用いてＵＥとの通信を構成するための方法９００を示す。方法９００は、図１のｅＮＢ１０５などの、ｅＮＢによって実行することができる。図９は、複数の連続した動作を示しているが、当業者であれば、方法９００の１つもしくは複数の動作を置き換えること、および／または同時に実行することができることを理解するであろう。
【０１０６】
開始するために、方法９００は、認可周波数帯域を用いてＵＥから受信された、１つまたは複数の未認可周波数帯域を用いて通信するためのＵＥの能力の指示を処理するための動作９０５を含むことができる。一実施形態では、動作９０５は、少なくとも１つの測定報告についての要求をＵＥに送信し、要求に基づいてＵＥから少なくとも１つの測定報告を受信することに関連する動作を含むことができる。一実施形態では、要求は、測定報告が周期的または非周期的であるべきであるという指示を含むことができる。
【０１０７】
動作９１０において、方法９００は、指示に基づいて、１つまたは複数の未認可周波数帯域のうちの少なくとも１つを用いてＵＥとの通信を構成することを含むことができる。動作９１０の一実施形態では、ＵＥとの通信は、少なくとも１つの測定報告に基づいて構成することができる。動作９１０の別の実施形態では、１つまたは複数の未認可周波数帯域を用いたＵＥとの通信は、ＵＥから受信した無線リソース管理（ＲＲＭ）報告に依存せずに構成することができる。
【０１０８】
続いて、動作９１５は、構成に基づいて、１つまたは複数の未認可周波数帯域のうちの少なくとも１つを用いてＵＥへダウンリンクデータを送信させることを含むことができる。
【０１０９】
図１０を参照すると、フローチャートは、様々な実施態様による、未認可帯域におけるＵＥとの通信を容易にするための方法１０００を示す。方法１０００は、図１のＵＥ１３０などの、ＵＥによって実行することができる。図１０は、複数の連続した動作を示しているが、当業者であれば、方法１０００の１つもしくは複数の動作を置き換えること、および／または同時に実行することができることを理解するであろう。
【０１１０】
開始するために、方法１０００は、ＵＥが通信することができる１つまたは複数の未認可周波数帯域を示す少なくとも１つのメッセージを、認可周波数帯域を用いてｅＮＢに送信するための動作１００５を含むことができる。動作１０１０は、１つまたは複数の未認可周波数帯域に関連する情報についてのｅＮＢからの要求を受信することを含むことができる。様々な実施形態では、この要求は、１つもしくは複数の未認可周波数帯域で実行される１つもしくは複数の測定の指示、および／または測定報告が周期的であるべきか、非周期的であるべきかの指示を含むことができる。
【０１１１】
動作１０１５では、方法１０００は、要求に基づいて、１つまたは複数の未認可周波数帯域のうちの少なくとも１つにおいて１つまたは複数の測定を実行することを含むことができる。その後に、動作１０２０は、少なくとも１つまたは複数の実行された測定に基づいて報告を生成することを含むことができる。動作１０２５において、方法１０００は、ｅＮＢに報告を送信することを含むことができる。様々な実施形態では、次にｅＮＢは、ＵＥとの通信のために１つまたは複数の未認可周波数帯域を活性化し、構成することができる。
【０１１２】
図１１を参照すると、ブロック図は、様々な実施態様による、例示的なコンピューティングデバイス１１００を示す。図１、図２、および／または図７、ならびにここに記載したｅＮＢ１０５、７００またはＵＥ１３０、２００は、コンピューティングデバイス１１００などのコンピューティングデバイス上で実現することができる。さらに、コンピューティングデバイス１１００は、図９〜図１０に記載した方法９００〜１０００のうちの１つまたは複数の動作をそれぞれ実行するように適合することができる。コンピューティングデバイス１１００は、いくつかの構成要素、１つまたは複数のプロセッサ１１０４、ならびに１つまたは複数の通信チップ１１０６を含むことができる。実施形態に応じて、列挙した構成要素のうちの１つまたは複数は、処理回路および通信回路などの、コンピューティングデバイス１１００の「回路」を含むことができる。様々な実施形態では、１つまたは複数のプロセッサ１１０４は、それぞれプロセッサコアであってもよい。様々な実施形態では、１つまたは複数の通信チップ１１０６は、１つまたは複数のプロセッサ１１０４と物理的かつ電気的に結合されてもよい。さらなる実施では、通信チップ１１０６は、１つまたは複数のプロセッサ１１０４の一部であってもよい。様々な実施形態では、コンピューティングデバイス１１００は、プリント回路基板（ＰＣＢ）１１０２を含んでもよい。これらの実施形態では、１つまたは複数のプロセッサ１１０４および通信チップ１１０６は、その上に配置することができる。代替的な実施形態では、様々な構成要素をＰＣＢ１１０２を用いずに結合することができる。
【０１１３】
用途に応じて、コンピューティングデバイス１１００は、ＰＣＢ１１０２に物理的かつ電気的に結合してもしなくてもよい他の構成要素を含むことができる。これらの他の構成要素としては、限定はしないが、揮発性メモリ（たとえば、ダイナミック・ランダム・アクセス・メモリ１１０８、ＤＲＡＭともいう）、不揮発性メモリ（たとえば、読み出し専用メモリ１１１０、ＲＯＭともいう）、フラッシュメモリ１１１２、入力／出力コントローラ１１１４、デジタル信号プロセッサ（図示せず）、暗号プロセッサ（図示せず）、グラフィックプロセッサ１１１６、１つまたは複数のアンテナ１１１８、ディスプレイ（図示せず）、タッチ・スクリーン・ディスプレイ１１２０、タッチ・スクリーン・コントローラ１１２２、バッテリ１１２４、音声コーデック（図示せず）、ビデオコード（図示せず）、グローバルナビゲーション衛星システム１１２８、コンパス１１３０、加速度計（図示せず）、ジャイロセンサ（図示せず）、スピーカ１１３２、カメラ１１３４、１つまたは複数のセンサ１１３６（たとえば、気圧計、ガイガーカウンター、温度計、粘度計、血流計、高度計、または種々の製造環境において見出され、もしくは他の用途に使用することができる他のセンサ）、ならびに大容量記憶装置（たとえば、ハードディスクドライブ、ソリッドステートドライブ、コンパクトディスクおよびドライブ、デジタル多用途ディスクおよびドライブなど）（図示せず）などが挙げられる。様々な実施形態では、１つまたは複数のプロセッサ１１０４は、他の構成要素と同一ダイ上に集積されて、システム・オン・チップ（ＳＯＣ）を形成することができる。
【０１１４】
様々な実施形態では、揮発性メモリ（たとえば、ＤＲＡＭ１１０８）、不揮発性メモリ（たとえば、ＲＯＭ１１１０）、フラッシュメモリ１１１２、および大容量記憶装置（図示せず）は、１つまたは複数のプロセッサ１１０４による実行に応答して、コンピューティングデバイス１１００が本明細書で説明したデータ交換および方法のすべてのまたは選択された態様を実施することを可能にするように構成されたプログラム命令を含むことができ、それは、このようなデータ交換および方法を実施するために使用されるコンピューティングデバイス１１００の実施形態に依存している。より具体的には、メモリ構成要素（たとえば、ＤＲＡＭ１１０８は、ＲＯＭ１１１０、フラッシュメモリ１１１２、および大容量記憶装置）のうちの１つまたは複数は、１つまたは複数のプロセッサ１１０４により実行された場合に、コンピューティングデバイス１１００が、本明細書で説明したデータ交換および方法のすべてのまたは選択された態様を実施するために構成された１つまたは複数のモジュール１１３８を動作させることを可能にする命令の一時的および／または永続的なコピーを含むことができ、それは、このようなデータ交換および方法を実施するために使用されるコンピューティングデバイス１１００の実施形態に依存している。
【０１１５】
通信チップ１１０６は、コンピューティングデバイス１１００との間でデータを転送するための有線および／または無線通信を可能にすることができる。「無線」という用語およびその派生語は、非固体媒体を介して変調された電磁放射を利用してデータを通信することができる回路、デバイス、システム、方法、技術、通信チャネルなどを記述するために用いることができる。この用語は、関連するデバイスが有線を含まないということを意味するものではないが、いくつかの実施形態では含まない場合があり得る。通信チップ１１０６は、多くの無線規格またはプロトコルのいずれかを実現することができ、それらは、限定はしないが、ＬＴＥ、ＬＴＥ−Ａ、米国電気電子技術者協会（ＩＥＥＥ）７０２．２０、汎用パケット無線サービス（ＧＰＲＳ）、最適化された発展型データ（Ｅｖｏｌｕｔｉｏｎ  Ｄａｔａ  Ｏｐｔｉｍｉｚｅｄ：Ｅｖ−ＤＯ）、発展型高速パケットアクセス（ＨＳＰＡ＋）、発展型高速ダウンリンクパケットアクセス（ＨＳＤＰＡ＋）、発展型高速アップリンクパケットアクセス（ＨＳＵＰＡ＋）、移動通信用グローバルシステム（ＧＳＭ）、ＧＳＭ発展型（ＥＤＧＥ）高速データレート、符号分割多元接続（ＣＤＭＡ）、時分割多元接続（ＴＤＭＡ）、デジタル拡張コードレス電話（ＤＥＣＴ）、ブルートゥース（登録商標）、これらの派生、ならびに３Ｇ、４Ｇ、５Ｇ、およびそれ以上として指定されている他の無線プロトコルを含む。コンピューティングデバイス１１００は、異なる通信機能を実行するように適合する複数の通信チップ１１０６を含むことができる。たとえば、第１の通信チップ１１０６は、Ｗｉ−Ｆｉおよびブルートゥースなどのより短い範囲の無線通信専用とすることができ、第２の通信チップ１１０６は、ＧＰＳ、ＥＤＧＥ、ＧＰＲＳ、ＣＤＭＡ、ＷｉＭＡＸ、ＬＴＥ、ＬＴＥ−Ａ、Ｅｖ−ＤＯなどのより長距離の無線通信専用とすることができる。
【０１１６】
実施例１は、ｅＮＢ（ｅＮＢ）であってもよく、構成回路であって、ロング・ターム・エボリューション（ＬＴＥ）規格に従って、１つまたは複数の未認可周波数帯域を用いて通信するためのユーザ機器（ＵＥ）の能力の指示を処理し、ＵＥの能力の指示に基づいて、測定報告と関連する情報を識別し、ＵＥから受信した、１つまたは複数の未認可周波数帯域に関連する測定報告を処理し、測定報告に基づいて、１つまたは複数の未認可周波数帯域のうちの少なくとも１つを用いてＵＥとの通信を構成するための構成回路と、測定構成回路に結合され、測定報告と関連する情報に基づいて少なくとも１つのメッセージを生成し、ＵＥによる１つまたは複数の未認可周波数帯域と関連する測定報告のために、少なくとも１つのメッセージをＵＥへ送信させるためのメッセージ生成回路と、を含む。実施例２は、実施例１のｅＮＢを含んでもよく、少なくとも１つのメッセージを送信させることは、少なくとも１つの無線リソース制御（ＲＲＣ）接続再構成メッセージをＵＥに送信させることを含み、ＵＥはＲＲＣ接続モードで動作する。実施例３は、実施例１のｅＮＢを含んでもよく、少なくとも１つのメッセージを生成することは、ＵＥにより実行される１つまたは複数の測定に関連して、識別子、タイプ、コマンド、１つもしくは複数の測定対象、測定量、および／または報告基準のうちの１つまたは複数を含む１つのメッセージを生成することを含む。実施例４は、実施例３のｅＮＢを含んでもよく、少なくとも１つのメッセージを生成することは、測定量が、１つまたは複数の未認可周波数帯域に関連して、受信信号強度指標（ＲＳＳＩ）、参照信号受信電力（ＲＳＲＰ）、参照信号受信品質（ＲＳＲＱ）、および／またはビジー状態もしくはアイドル状態の指示のうちの少なくとも１つに基づく少なくとも１つの値を含むことを示す少なくとも１つのメッセージを生成することを含む。実施例５は、実施例１のｅＮＢを含んでもよく、少なくとも１つのメッセージを生成することは、ＵＥにより実行される１つまたは複数の測定に関連して、１つまたは複数の未認可周波数帯域のうちの少なくとも１つについて少なくとも１つのチャネル占有状態（ＣＯＳ）の要求を含む少なくとも１つのメッセージを生成することを含む。実施例６は、実施例１〜５のいずれかのｅＮＢを含んでもよく、少なくとも１つのメッセージを生成することは、ＵＥからの測定報告は非周期的とすべきであるという指示を含む少なくとも１つのメッセージを生成することを含む。実施例７は、実施例６のｅＮＢを含んでもよく、指示は、チャネル状態情報（ＣＳＩ）要求フィールドに関連する１つまたは複数のビットを含む。実施例８は、実施例６のｅＮＢを含んでもよく、ＵＥへ少なくとも１つのメッセージを送信させることは、ＵＥ固有探索空間（ＵＳＳ）における指示を送信させることを含む。実施例９は、実施例１〜５のいずれかのｅＮＢを含んでもよく、少なくとも１つのメッセージを生成することは、ＵＥからの測定報告は非周期的とすべきであるという指示を含む少なくとも１つのメッセージを生成することを含む。
【０１１７】
実施例１０は、ユーザ機器（ＵＥ）であってもよく、制御回路であって、ＵＥがロング・ターム・エボリューション（ＬＴＥ）規格に従って通信することができる、１つまたは複数の未認可周波数帯域を示す少なくとも１つのメッセージを生成し、ｅＮＢ（ｅＮＢ）へ少なくとも１つのメッセージを送信させ、少なくとも１つのメッセージに基づいてｅＮＢから受信した、ＵＥによって実行される１つまたは複数の測定の指示を処理し、ＵＥによって実行された１つまたは複数の測定に基づく１つまたは複数の値を含む少なくとも１つの他のメッセージを生成し、指示に基づいて、ｅＮＢへ少なくとも１つの他のメッセージを送信させるための制御回路と、ｅＮＢから受信した指示に基づいて、１つまたは複数の未認可周波数帯域のうちの少なくとも１つにおいて１つまたは複数の測定を実行し、１つまたは複数の実行された測定に基づく１つまたは複数の値を計算するための測定回路と、を含む。実施例１１は、実施例１０のＵＥを含んでもよく、指示は、１つまたは複数の測定に関連して、識別子、タイプ、コマンド、１つもしくは複数の測定対象、測定量、および／または報告基準のうちの１つまたは複数を含む。実施例１２は、実施例１０のＵＥを含んでもよく、１つまたは複数の未認可周波数帯域のうちの少なくとも１つにおいて１つまたは複数の測定を実行することは、受信信号強度指標（ＲＳＳＩ）、参照信号受信電力（ＲＳＲＰ）、および／または参照信号受信品質（ＲＳＲＱ）のうちの少なくとも１つを測定することを含む。実施例１３は、実施例１０のＵＥを含んでもよく、１つまたは複数の未認可周波数帯域のうちの少なくとも１つにおいて１つまたは複数の測定を実行することは、１つまたは複数の未認可周波数帯域がビジー状態であるか、アイドル状態であるかを検出することを含む。実施例１４は、実施例１３のＵＥを含んでもよく、少なくとも１つの他のメッセージを生成することは、第１の未認可周波数帯域についての検出、および第１の未認可周波数帯域において実行された少なくとも１つの他の測定についての少なくとも１つの他の値の指示を含むメッセージを生成することを含む。実施例１５は、実施例１０〜１４のいずれかのＵＥを含んでもよく、ｅＮＢへ少なくとも１つの他のメッセージを送信させることは、ｅＮＢから受信した指示に基づいて少なくとも１つの他のメッセージを非周期的に送信させることを含む。実施例１６は、実施例１５のＵＥを含んでもよく、指示は、チャネル状態情報（ＣＳＩ）要求フィールドに関連する１つまたは複数のビットを含む。実施例１７は、実施例１５のＵＥを含んでもよく、制御回路は、ＵＥ固有探索空間（ＵＳＳ）における指示を検出する。
【０１１８】
実施例１８は、実施例１０〜１４のいずれかのＵＥを含んでもよく、ｅＮＢへ少なくとも１つの他のメッセージを送信させることは、ｅＮＢから受信した指示に基づいて少なくとも１つの他のメッセージを周期的に送信させることを含む。
【０１１９】
実施例１９は、コンピューティングデバイスが実行可能な命令を含む１つまたは複数の非一時的なコンピュータ可読媒体であってもよく、命令は、ｅＮＢ（ｅＮＢ）による実行に応答して、ｅＮＢに対して、認可周波数帯域を用いてユーザ機器（ＵＥ）から受信された、１つまたは複数の未認可周波数帯域を用いて通信するためのＵＥの能力の指示を処理させ、指示に基づいて、１つまたは複数の未認可周波数帯域のうちの少なくとも１つを用いてＵＥとの通信を構成させ、構成に基づいて、１つまたは複数の未認可周波数帯域のうちの少なくとも１つを用いてＵＥへダウンリンクデータを送信させる。実施例２０は、実施例１９の１つまたは複数の非一時的なコンピュータ可読媒体を含んでもよく、ＵＥとの通信を構成することは、ＵＥからの無線リソース管理（ＲＲＭ）報告に依存せずに１つまたは複数の未認可周波数帯域のうちの少なくとも１つを用いてＵＥとの通信を構成することを含む。実施例２１は、実施例１９または２０の１つまたは複数の非一時的なコンピュータ可読媒体を含んでもよく、ＵＥとの通信を構成することは、少なくとも１つの測定報告の要求をＵＥに送信し、ＵＥから少なくとも１つの測定報告を受信し、少なくとも１つの測定報告にさらに基づいて、１つまたは複数の未認可周波数帯域のうちの少なくとも１つを用いてＵＥとの通信を構成することを含む。実施例２２は、実施例２１の１つまたは複数の非一時的なコンピュータ可読媒体を含んでもよく、要求は、測定報告は周期的または非周期的のいずれかであるべきであるという指示をさらに含む。
【０１２０】
実施例２３は、コンピューティングデバイスが実行可能な命令を含む１つまたは複数の非一時的なコンピュータ可読媒体であってもよく、命令は、ユーザ機器（ＵＥ）による実行に応答して、ＵＥに対して、ＵＥが通信することができる１つまたは複数の未認可周波数帯域を示す少なくとも１つのメッセージを、認可周波数帯域を用いてｅＮＢ（ｅＮＢ）に送信させ、１つまたは複数の未認可周波数帯域に関連する情報についてのｅＮＢからの要求を受信させ、要求に基づいて、１つまたは複数の未認可周波数帯域のうちの少なくとも１つにおいて１つまたは複数の測定を実行させ、少なくとも１つまたは複数の測定に基づいて報告を生成し、報告をｅＮＢへ送信させる。実施例２４は、実施例２３の１つまたは複数の非一時的なコンピュータ可読媒体を含んでもよく、要求は、報告が周期的または非周期的のいずれかであるべきであるという指示をさらに含み、命令は、指示に基づいて周期的または非周期的に報告をｅＮＢへ送信させることである。実施例２５は、実施例２３または２４の１つまたは複数の非一時的なコンピュータ可読媒体を含んでもよく、１つまたは複数の未認可周波数帯域のうちの少なくとも１つにおいて１つまたは複数の測定を実行することは、受信信号強度指標（ＲＳＳＩ）、参照信号受信電力（ＲＳＲＰ）、および／または参照信号受信品質（ＲＳＲＱ）のうちの少なくとも１つを測定すること、あるいは、１つまたは複数の未認可周波数帯域のうちの少なくとも１つについてビジー状態またはアイドル状態を検出することを含む。
【０１２１】
実施例２６は、ｅＮＢ（ｅＮＢ）において実行される方法であってもよく、本方法は、認可周波数帯域を用いてユーザ機器（ＵＥ）から、１つまたは複数の未認可周波数帯域を用いて通信するためのＵＥの能力の指示を受信するステップと、指示に基づいて、１つまたは複数の未認可周波数帯域のうちの少なくとも１つを用いてＵＥとの通信を構成するステップと、構成に基づいて、１つまたは複数の未認可周波数帯域のうちの少なくとも１つを用いてＵＥへダウンリンクデータを送信するステップと、を含む。実施例２７は、実施例２６の方法を含んでもよく、ＵＥとの通信を構成するステップは、ＵＥからの無線リソース管理（ＲＲＭ）報告に依存せずに１つまたは複数の未認可周波数帯域のうちの少なくとも１つを用いてＵＥとの通信を構成するステップを含む。実施例２８は、実施例２６または２７の方法を含んでもよく、ＵＥとの通信を構成するステップは、少なくとも１つの測定報告の要求をＵＥに送信するステップと、ＵＥから少なくとも１つの測定報告を受信するステップと、少なくとも１つの測定報告にさらに基づいて、１つまたは複数の未認可周波数帯域のうちの少なくとも１つを用いてＵＥとの通信を構成するステップと、を含む。実施例２９は、実施例２８の方法を含んでもよく、要求は、測定報告は周期的または非周期的のいずれかであるべきであるという指示をさらに含む。
【０１２２】
実施例３０は、ユーザ機器（ＵＥ）において実行される方法であってもよく、本方法は、ＵＥが通信することができる１つまたは複数の未認可周波数帯域を示す少なくとも１つのメッセージを、認可周波数帯域を用いてｅＮＢ（ｅＮＢ）に送信するステップと、１つまたは複数の未認可周波数帯域に関連する情報についてのｅＮＢからの要求を受信するステップと、要求に基づいて、１つまたは複数の未認可周波数帯域のうちの少なくとも１つにおいて１つまたは複数の測定を実行するステップと、少なくとも１つまたは複数の測定に基づいて報告を生成するステップと、報告をｅＮＢへ送信するステップと、を含む。実施例３１は、実施例３０の方法を含んでもよく、要求は、報告が周期的または非周期的のいずれかであるべきであるという指示をさらに含み、ｅＮＢへ報告を送信するステップは、指示に基づいて周期的または非周期的のいずれかである。実施例３２は、実施例３０または３１の方法を含んでもよく、１つまたは複数の未認可周波数帯域のうちの少なくとも１つにおいて１つまたは複数の測定を実行するステップは、受信信号強度指標（ＲＳＳＩ）、参照信号受信電力（ＲＳＲＰ）、および／または参照信号受信品質（ＲＳＲＱ）のうちの少なくとも１つを測定するステップ、あるいは、１つまたは複数の未認可周波数帯域のうちの少なくとも１つについてビジー状態またはアイドル状態を検出するステップを含む。
【０１２３】
実施例３３は、装置であってもよく、本装置は、認可周波数帯域を用いてユーザ機器（ＵＥ）から、１つまたは複数の未認可周波数帯域を用いて通信するためのＵＥの能力の指示を受信するための手段と、指示に基づいて、１つまたは複数の未認可周波数帯域のうちの少なくとも１つを用いてＵＥとの通信を構成するための手段と、構成に基づいて、１つまたは複数の未認可周波数帯域のうちの少なくとも１つを用いてＵＥへダウンリンクデータを送信するための手段と、を含む。実施例３４は、実施例３３の装置を含んでもよく、ＵＥとの通信を構成するための手段は、ＵＥからの無線リソース管理（ＲＲＭ）報告に依存せずに１つまたは複数の未認可周波数帯域のうちの少なくとも１つを用いてＵＥとの通信を構成するための手段を含む。実施例３５は、実施例３３または３４の装置を含んでもよく、ＵＥとの通信を構成するための手段は、少なくとも１つの測定報告の要求をＵＥに送信するための手段と、ＵＥから少なくとも１つの測定報告を受信するための手段と、少なくとも１つの測定報告にさらに基づいて、１つまたは複数の未認可周波数帯域のうちの少なくとも１つを用いてＵＥとの通信を構成するための手段と、を含む。実施例３６は、実施例３５の装置を含んでもよく、要求は、測定報告は周期的または非周期的のいずれかであるべきであるという指示をさらに含む。
【０１２４】
実施例３７は、装置であってもよく、本装置は、ＵＥが通信することができる１つまたは複数の未認可周波数帯域を示す少なくとも１つのメッセージを、認可周波数帯域を用いてｅＮＢ（ｅＮＢ）に送信するための手段と、１つまたは複数の未認可周波数帯域に関連する情報についてのｅＮＢからの要求を受信するための手段と、要求に基づいて、１つまたは複数の未認可周波数帯域のうちの少なくとも１つにおいて１つまたは複数の測定を実行するための手段と、少なくとも１つまたは複数の測定に基づいて報告を生成するための手段と、報告をｅＮＢへ送信するための手段と、を含む。実施例３８は、実施例３７の装置を含んでもよく、要求は、報告が周期的または非周期的のいずれかであるべきであるという指示をさらに含み、ｅＮＢへ報告を送信するための手段は、指示に基づいて周期的または非周期的のいずれかである。実施例３９は、実施例３７または３８の装置を含んでもよく、１つまたは複数の未認可周波数帯域のうちの少なくとも１つにおいて１つまたは複数の測定を実行するための手段は、受信信号強度指標（ＲＳＳＩ）、参照信号受信電力（ＲＳＲＰ）、および／または参照信号受信品質（ＲＳＲＱ）のうちの少なくとも１つを測定するための手段、あるいは、１つまたは複数の未認可周波数帯域のうちの少なくとも１つについてビジー状態またはアイドル状態を検出するための手段を含む。
【０１２５】
上記の詳細な説明のいくつかの部分は、コンピュータメモリ内のデータビットに対する動作のアルゴリズムおよび記号表現の点から提示されている。これらのアルゴリズム的な説明および表現は、他の当業者に対して自分の仕事の内容を最も効果的に伝えるために、データ処理技術の当業者によって用いられる方法である。アルゴリズムは、ここでは、一般的に、所望の結果をもたらす動作の首尾一貫したシーケンスであると考えられる。動作は、物理量の物理的な操作を必要とするものである。
【０１２６】
しかし、これらの用語および類似の用語のすべては、適切な物理量と関連しており、これらの量に付けられた便利なラベルにすぎないことに留意されたい。以上の説明から明らかとなるように特に述べない限り、説明の全体を通して、添付の特許請求の範囲に記載された用語を用いた説明は、コンピュータシステムのレジスタおよびメモリ内の物理的（電子的）な量として表現されるデータをコンピュータシステムのメモリもしくはレジスタまたは他のそのような情報記憶装置、伝送、あるいは表示デバイス内の物理量として同様に表現される他のデータに操作し変換する、コンピュータシステム、または類似の電子的コンピューティングデバイスの動作および処理を意味する。
【０１２７】
本発明の実施形態はまた、本明細書における動作を実行するための装置に関する。このようなコンピュータプログラムは、コンピュータ可読媒体に格納される。機械可読媒体は、機械（たとえば、コンピュータ）によって読み取り可能な形式で情報を格納するための任意の機構を含む。たとえば、機械可読（たとえば、コンピュータ可読）媒体は、機械（たとえば、コンピュータ）可読記憶媒体（たとえば、読み出し専用メモリ（ＲＯＭ）、ランダム・アクセス・メモリ（ＲＡＭ）、磁気ディスク記憶媒体、光記憶媒体、フラッシュ・メモリ・デバイス）を含む。
【０１２８】
上記の図面に示した処理または方法は、ハードウェア（たとえば、回路、専用ロジックなど）、ソフトウェア（たとえば、非一時的コンピュータ可読媒体上で具現化される）、または両者の組み合わせを含む処理ロジックにより実行することができる。処理または方法は、いくつかの連続した動作として上述しているが、記載した動作のうちのいくつかは、異なる順序で実行してもよいことを理解されたい。さらに、いくつかの動作は、順番にではなく並行して実行することができる。
【０１２９】
本発明の実施形態は、いかなる特定のプログラミング言語も参照して説明していない。本明細書に記載した本発明の実施形態の教示を実施するために、様々なプログラミング言語を使用できることが理解されよう。上記の明細書において、本発明の実施形態について、その特定の例示的な実施形態を参照して説明した。添付の特許請求の範囲に記載された本発明のより広い趣旨および範囲から逸脱することなく、種々の変更が可能であることは明らかであろう。したがって、明細書および図面は、限定的な意味ではなく、例示的な意味でとらえるべきである。
【図１】
0006426207.tif 000004
【図２】
0006426207.tif 000005
【図３】
0006426207.tif 000006
【図４】
0006426207.tif 000007
【図５】
0006426207.tif 000008
【図６】
0006426207.tif 000009
【図７】
0006426207.tif 000010
【図８】
0006426207.tif 000011
【図９】
0006426207.tif 000012
【図１０】
0006426207.tif 000013
【図１１】
0006426207.tif 000014